(57)【特許請求の範囲】
【請求項１】
符号分割多元接続システムにおける無線通信のための方法であって、
通常帯域幅符号分割多元接続チャネルのための移動デバイスのチップレートを特定することと、
前記通常帯域幅チャネルによって占有されるスペクトルとは異なるフレキシブル帯域幅符号分割多元接続チャネルのために使用されるスペクトルを特定することであって、前記特定されたスペクトルが前記フレキシブル帯域幅チャネルのための使用に利用可能であると判断されたスペクトルを含む、特定することと、
前記フレキシブル帯域幅チャネルのために使用される前記利用可能なスペクトルに少なくとも部分的に基づいて前記フレキシブル帯域幅チャネルのためのチップレートを決定することと、
前記通常帯域幅チャネルのための前記チップレートから前記フレキシブル帯域幅チャネルのための前記チップレートへの適合にスケーリング係数を利用して前記移動デバイスの前記チップレートを動的に適合させることと、
前記フレキシブル帯域幅チャネルのための前記チップレートを利用して前記利用可能なスペクトル上の前記フレキシブル帯域幅チャネルを介して送信することと、
を備える方法。
【請求項２】
前記移動デバイスの前記チップレートを動的に適合させるために基地局から適合情報を受信することをさらに備える、請求項１に記載の方法。
【請求項３】
前記フレキシブル帯域幅チャネルを特定するために１つまたは複数の中心周波数を受信することをさらに備える、請求項２に記載の方法。
【請求項４】
前記チップレートを適合させることが、オンザフライで前記チップレートを適合させることを含む、請求項１に記載の方法。
【請求項５】
オンザフライで前記チップレートを適合させることが、
前記移動デバイスが前記チップレートを適合させるにつれて、前記通常帯域幅チャネルから前記フレキシブル帯域幅チャネルへと移動させることを備える、請求項４に記載の方法。
【請求項６】
オンザフライで前記チップレートを適合させることが、
前記移動デバイスが前記チップレートを適合させるにつれて、第１の中心周波数から第２の中心周波数へ同調させることを備える、請求項４に記載の方法。
【請求項７】
前記チップレートを適合させることが、前記移動デバイスの処理の周波数を適合させることを含む、請求項１に記載の方法。
【請求項８】
前記チップレートを適合させることが、前記処理の周波数を変更するために分周器を使用することを含む、請求項７に記載の方法。
【請求項９】
前記チップレートを前記適合させることが、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、請求項１に記載の方法。
【請求項１０】
前記チップレートを適合させることが、前記少なくとも１つのクロックの前記周波数を変更するために分周器を使用することを含む、請求項９に記載の方法。
【請求項１１】
前記フレキシブル帯域幅チャネルが、前記通常帯域幅チャネルよりも小さい、請求項１に記載の方法。
【請求項１２】
前記フレキシブル帯域幅チャネルが、前記通常帯域幅チャネルよりも大きい、請求項１に記載の方法。
【請求項１３】
前記適合させたチップレートを利用して周波数チャネルを複数のより狭い周波数チャネルへと分割することをさらに備える、請求項１に記載の方法。
【請求項１４】
前記適合させたチップレートを利用して複数の周波数チャネルをより広い周波数チャネルへと結合することをさらに備える、請求項１に記載の方法。
【請求項１５】
符号分割多元接続システムにおける無線通信のための方法であって、
通常帯域幅符号分割多元接続チャネルのための基地局におけるチップレートを決定することと、
前記通常帯域幅チャネルによって占有されるスペクトルとは異なるフレキシブル帯域幅符号分割多元接続チャネルのために使用される利用可能なスペクトルを特定することと、
前記フレキシブル帯域幅チャネルのために使用される前記利用可能なスペクトルに少なくとも部分的に基づいて前記フレキシブル帯域幅チャネルのためのチップレートを決定することと、
前記フレキシブル帯域幅チャネルのための前記チップレートを利用するために前記利用可能なスペクトル上に前記フレキシブル帯域幅チャネルを構成することと、
前記通常帯域幅チャネルのための前記チップレートを利用して前記通常帯域幅チャネル上に第１の波形を送信することと、
前記フレキシブル帯域幅チャネルのための前記チップレートを利用して前記フレキシブル帯域幅チャネル上に第２の波形を前記第１の波形の送信と同時に送信することと、
を備える方法。
【請求項１６】
前記フレキシブル帯域幅チャネルのための前記チップレートを移動デバイスに通知するために前記基地局から前記移動デバイスへ構成情報を送信することをさらに備える、請求項１５に記載の方法。
【請求項１７】
前記フレキシブル帯域幅チャネルを特定するために前記基地局から前記移動デバイスへ１つまたは複数の中心周波数を送信することをさらに備える、請求項１６に記載の方法。
【請求項１８】
前記利用可能なスペクトル上に前記フレキシブル帯域幅チャネルを構成することが、前記基地局における処理の周波数を適合させることを含む、請求項１５に記載の方法。
【請求項１９】
前記利用可能なスペクトル上に前記フレキシブル帯域幅チャネルを構成することが、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、請求項１５に記載の方法。
【請求項２０】
前記通常帯域幅チャネルおよび前記フレキシブル帯域幅チャネルが、同じ無線接続技術を利用する、請求項１５に記載の方法。
【請求項２１】
前記利用可能なスペクトル上に前記フレキシブル帯域幅チャネルを構成することが、要求されたサービス品質に基づく、請求項１５に記載の方法。
【請求項２２】
前記利用可能なスペクトル上に前記フレキシブル帯域幅チャネルを構成することが、負荷に基づく、請求項１５に記載の方法。
【請求項２３】
前記利用可能なスペクトル上に前記フレキシブル帯域幅チャネルを構成することが、１つまたは複数の隣接セルのカバレッジに基づく、請求項１５に記載の方法。
【請求項２４】
周波数チャネルを複数のより狭い周波数チャネルへと分割することをさらに備える、請求項１５に記載の方法。
【請求項２５】
複数の周波数チャネルをより広い周波数チャネルへと結合することをさらに備える、請求項１５に記載の方法。
【請求項２６】
フレキシブル帯域幅チャネルを利用するために構成された符号分割多元接続通信システムであって、
通常帯域幅符号分割多元接続チャネルのための移動デバイスのチップレートを特定するための手段と、
前記通常帯域幅チャネルによって占有されるスペクトルとは異なるフレキシブル帯域幅符号分割多元接続チャネルのために使用されるスペクトルを特定するための手段であって、前記特定されたスペクトルが前記フレキシブル帯域幅チャネルのための使用に利用可能であると判断されたスペクトルを含む、特定するための手段と、
前記フレキシブル帯域幅チャネルのために使用される前記利用可能なスペクトルに少なくとも部分的に基づいて前記フレキシブル帯域幅チャネルのためのチップレートを決定するための手段と、
前記通常帯域幅チャネルのための前記チップレートから前記フレキシブル帯域幅チャネルのための前記チップレートへの適合にスケーリング係数を利用して前記移動デバイスの前記チップレートを動的に適合させるための手段と、
前記フレキシブル帯域幅チャネルのための前記チップレートを利用して前記利用可能なスペクトル上の前記フレキシブル帯域幅チャネルを介して送信するための手段と、
を備える、符号分割多元接続通信システム。
【請求項２７】
前記移動デバイスの前記チップレートを動的に適合させるために基地局から適合情報を受信するための手段をさらに備える、請求項２６に記載の符号分割多元接続通信システム。
【請求項２８】
オンザフライで前記移動デバイスの前記チップレートを適合させるための手段をさらに備える、請求項２６に記載の符号分割多元接続通信システム。
【請求項２９】
前記フレキシブル帯域幅チャネルを特定するために１つまたは複数の中心周波数を受信するための手段をさらに備える、請求項２７に記載の符号分割多元接続通信システム。
【請求項３０】
前記フレキシブル帯域幅チャネルを介して１つまたは複数のフレキシブル帯域幅波形を受信するための手段をさらに備える、請求項２６に記載の符号分割多元接続通信システム。
【請求項３１】
前記チップレートを前記適合させることが、前記移動デバイスの処理の周波数、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、請求項２６に記載の符号分割多元接続通信システム。
【請求項３２】
前記適合させたチップレートを利用して周波数チャネルを複数のより狭い周波数チャネルへと分割するための手段をさらに備える、請求項２６に記載の符号分割多元接続通信システム。
【請求項３３】
前記適合させたチップレートを利用して複数の周波数チャネルをより広い周波数チャネルへと結合するための手段をさらに備える、請求項２６に記載の符号分割多元接続通信システム。
【請求項３４】
符号分割多元接続通信システム内でフレキシブル帯域幅チャネルを利用するためにコンピュータによって実行可能なコンピュータプログラムであって、
通常帯域幅符号分割多元接続チャネルのための移動デバイスのチップレートを特定するためのコードと、
前記通常帯域幅チャネルによって占有されるスペクトルとは異なるフレキシブル帯域幅符号分割多元接続チャネルのために使用されるスペクトルを特定するためのコードであって、前記特定されたスペクトルが前記フレキシブル帯域幅チャネルのための使用に利用可能であると判断されたスペクトルを含む、特定するためのコードと、
前記フレキシブル帯域幅チャネルのために使用される前記利用可能なスペクトルに少なくとも部分的に基づいて前記フレキシブル帯域幅チャネルのためのチップレートを決定するためのコードと、
前記通常帯域幅チャネルのための前記チップレートから前記フレキシブル帯域幅チャネルのための前記チップレートへの適合にスケーリング係数を利用して前記移動デバイスの前記チップレートを動的に適合させるためのコードと、
前記フレキシブル帯域幅チャネルのための前記チップレートを利用して前記利用可能なスペクトル上の前記フレキシブル帯域幅チャネルを介して送信するためのコードと、
を備える、コンピュータプログラム。
【請求項３５】
前記移動デバイスの前記チップレートを動的に適合させるために基地局から適合情報を受信するためのコードをさらに備える、請求項３４に記載のコンピュータプログラム。
【請求項３６】
前記移動デバイスが前記チップレートを適合させるにつれて、第１の中心周波数から第２の中心周波数へ同調させるためのコードをさらに備える、請求項３４に記載のコンピュータプログラム。
【請求項３７】
前記フレキシブル帯域幅チャネルを特定するために１つまたは複数の中心周波数を受信するためのコードをさらに備える、請求項３５に記載のコンピュータプログラム。
【請求項３８】
前記フレキシブル帯域幅チャネルを介して１つまたは複数のフレキシブル帯域幅波形を受信するためのコードをさらに備える、請求項３４に記載のコンピュータプログラム。
【請求項３９】
前記チップレートを前記適合させることが、前記移動デバイスの処理の周波数、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、請求項３４に記載のコンピュータプログラム。
【請求項４０】
符号分割多元接続システムにおいてフレキシブル帯域幅チャネルを利用するために構成された無線通信デバイスであって、
通常帯域幅符号分割多元接続チャネルのための移動デバイスのチップレートを特定し、
前記通常帯域幅チャネルによって占有されるスペクトルとは異なるフレキシブル帯域幅符号分割多元接続チャネルのために使用されるスペクトルを特定し、前記特定されたスペクトルが前記フレキシブル帯域幅チャネルのための使用に利用可能であると判断されたスペクトルを含むものであり、
前記フレキシブル帯域幅チャネルのために使用される前記利用可能なスペクトルに少なくとも部分的に基づいて前記フレキシブル帯域幅チャネルのためのチップレートを決定し、
前記通常帯域幅チャネルのための前記チップレートから前記フレキシブル帯域幅チャネルのための前記チップレートへの適合にスケーリング係数を利用して前記移動デバイスの前記チップレートを動的に適合させ、
前記フレキシブル帯域幅チャネルのための前記チップレートを利用して前記利用可能なスペクトル上の前記フレキシブル帯域幅チャネルを介して送信するように構成された少なくとも１つのプロセッサと、
前記少なくとも１つのプロセッサに結合された少なくとも１つのメモリと、
を備える、無線通信デバイス。
【請求項４１】
前記少なくとも１つのプロセッサが、
前記移動デバイスの前記チップレートを動的に適合させるために基地局から適合情報を受信するようにさらに構成される、請求項４０に記載の無線通信デバイス。
【請求項４２】
前記少なくとも１つのプロセッサが、
前記移動デバイスが前記チップレートを適合させるにつれて、通常帯域幅チャネルから前記フレキシブル帯域幅チャネルへと移動させるようにさらに構成される、請求項４０に記載の無線通信デバイス。
【請求項４３】
前記少なくとも１つのプロセッサが、
前記フレキシブル帯域幅チャネルを特定するために１つまたは複数の中心周波数を受信するようにさらに構成される、請求項４１に記載の無線通信デバイス。
【請求項４４】
前記少なくとも１つのプロセッサが、
前記フレキシブル帯域幅チャネルを介して１つまたは複数のフレキシブル帯域幅波形を受信するようにさらに構成される、請求項４０に記載の無線通信デバイス。
【請求項４５】
前記チップレートを適合させることが、前記移動デバイスの処理の周波数、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、請求項４０に記載の無線通信デバイス。
【請求項４６】
フレキシブル帯域幅を利用するために構成された符号分割多元接続通信システムであって、
通常帯域幅符号分割多元接続チャネルのための基地局におけるチップレートを決定するための手段と、
前記通常帯域幅チャネルによって占有されるスペクトルとは異なるフレキシブル帯域幅符号分割多元接続チャネルのために使用される利用可能なスペクトルを特定するための手段と、
前記フレキシブル帯域幅チャネルのために使用される前記利用可能なスペクトルに少なくとも部分的に基づいて前記フレキシブル帯域幅チャネルのためのチップレートを決定するための手段と、
前記フレキシブル帯域幅チャネルのための前記チップレートを利用するために前記利用可能なスペクトル上に前記フレキシブル帯域幅チャネルを構成するための手段と、
前記通常帯域幅チャネルのための前記チップレートを利用して前記通常帯域幅チャネル上に第１の波形を送信するための手段と、
前記フレキシブル帯域幅チャネルのための前記チップレートを利用して前記フレキシブル帯域幅チャネル上に第２の波形を前記第１の波形の送信と同時に送信するための手段と、
を備える、符号分割多元接続通信システム。
【請求項４７】
前記フレキシブル帯域幅チャネルのための前記チップレートを移動デバイスに通知するために前記基地局から前記移動デバイスへ構成情報を送信するための手段をさらに備える、請求項４６に記載の符号分割多元接続通信システム。
【請求項４８】
前記フレキシブル帯域幅チャネルを特定するために前記基地局から前記移動デバイスへ１つまたは複数の中心周波数を送信するための手段をさらに備える、請求項４７に記載の符号分割多元接続通信システム。
【請求項４９】
前記チップレートを適合させることが、少なくとも要求されたサービス品質、負荷、または１つもしくは複数の隣接セルのカバレッジに基づく、請求項４６に記載の符号分割多元接続通信システム。
【請求項５０】
周波数チャネルを複数のより狭い周波数チャネルへと分割するための手段をさらに備える、請求項４６に記載の符号分割多元接続通信システム。
【請求項５１】
複数の周波数チャネルをより広い周波数チャネルへと結合するための手段をさらに備える、請求項４６に記載の符号分割多元接続通信システム。
【請求項５２】
符号分割多元接続通信システム内でフレキシブル帯域幅を利用するためにコンピュータによって実行可能なコンピュータプログラムであって、
通常帯域幅符号分割多元接続チャネルのための基地局におけるチップレートを決定するためのコードと、
前記通常帯域幅チャネルによって占有されるスペクトルとは異なるフレキシブル帯域幅符号分割多元接続チャネルのために使用される利用可能なスペクトルを特定するためのコードと、
前記フレキシブル帯域幅チャネルのために使用される前記利用可能なスペクトルに少なくとも部分的に基づいて前記フレキシブル帯域幅チャネルのためのチップレートを決定するためのコードと、
前記フレキシブル帯域幅チャネルのための前記チップレートを利用するために前記利用可能なスペクトル上に前記フレキシブル帯域幅チャネルを構成するためのコードと、
前記通常帯域幅チャネルのための前記チップレートを利用して前記通常帯域幅チャネル上に第１の波形を送信するためのコードと、
前記フレキシブル帯域幅チャネルのための前記チップレートを利用して前記フレキシブル帯域幅チャネル上に第２の波形を前記第１の波形の送信と同時に送信するためのコードと、
を備える、コンピュータプログラム。
【請求項５３】
前記適合させたチップレートを移動デバイスに通知するために前記基地局から前記移動デバイスへ構成情報を送信するためのコードをさらに備える、請求項５２に記載のコンピュータプログラム。
【請求項５４】
記フレキシブル帯域幅チャネルを特定するために前記基地局から前記移動デバイスへ１つまたは複数の中心周波数を送信するためのコードをさらに備える、請求項５３に記載のコンピュータプログラム。
【請求項５５】
前記チップレートを適合させることが、少なくとも要求されたサービス品質、負荷、または１つもしくは複数の隣接セルのカバレッジに基づく、請求項５２に記載のコンピュータプログラム。
【請求項５６】
符号分割多元接続システムにおいてフレキシブル帯域幅を利用するために構成された無線通信デバイスであって、
通常帯域幅符号分割多元接続チャネルのための基地局におけるチップレートを決定し、
前記通常帯域幅チャネルによって占有されるスペクトルとは異なるフレキシブル帯域幅符号分割多元接続チャネルのために使用される利用可能なスペクトルを特定し、
前記フレキシブル帯域幅チャネルのために使用される前記利用可能なスペクトルに少なくとも部分的に基づいて前記フレキシブル帯域幅チャネルのためのチップレートを決定し、
前記フレキシブル帯域幅チャネルのための前記チップレートを利用するために前記利用可能なスペクトル上に前記フレキシブル帯域幅チャネルを構成し、
前記通常帯域幅チャネルのための前記チップレートを利用して前記通常帯域幅チャネル上に第１の波形を送信し、
前記フレキシブル帯域幅チャネルのための前記チップレートを利用して前記フレキシブル帯域幅チャネル上に第２の波形を前記第１の波形の送信と同時に送信するように構成された少なくとも１つのプロセッサと、
前記少なくとも１つのプロセッサに結合された少なくとも１つのメモリと、
を備える、無線通信デバイス。
【請求項５７】
前記少なくとも１つのプロセッサが、
前記フレキシブル帯域幅チャネルのための前記チップレートを移動デバイスに通知するために前記基地局から前記移動デバイスへ構成情報を送信するようにさらに構成される、請求項５６に記載の無線通信デバイス。
【請求項５８】
前記少なくとも１つのプロセッサが、
前記フレキシブル帯域幅チャネルを特定するために前記基地局から前記移動デバイスへ１つまたは複数の中心周波数を送信するようにさらに構成される、請求項５７に記載の無線通信デバイス。
【請求項５９】
前記チップレートを適合させることが、少なくとも要求されたサービス品質、負荷、または１つもしくは複数の隣接セルのカバレッジに基づく、請求項５６に記載の無線通信デバイス。
【請求項６０】
前記通常帯域幅チャネル上の前記第１の波形と前記フレキシブル帯域幅チャネル上の前記第２の波形との両方が同時に前記基地局から移動デバイスへ送信される、請求項１５に記載の方法。
【請求項６１】
基地局から前記フレキシブル帯域幅符号分割多元接続チャネルのために使用される前記スペクトルの指示を受信することをさらに備える、請求項１に記載の方法。
【請求項６２】
フレキシブル帯域幅符号分割多元接続チャネルのために使用される前記スペクトルが不使用スペクトルの帯域の一部分を含む、請求項１に記載の方法。
【請求項６３】
前記符号分割多元接続システムがＣＤＭＡシステム、広帯域ＣＤＭＡ(ＷＣＤＭＡ)システム、またはユニバーサルモバイルテレコミュニケーションシステム（ＵＭＴＳ）を備える、請求項１に記載の方法。
【請求項６４】
フレキシブル帯域幅符号分割多元接続チャネルのために使用される前記利用可能なスペクトルが不使用スペクトルの帯域の一部分を含む、請求項１５に記載の方法。
【請求項６５】
前記符号分割多元接続システムがＣＤＭＡシステム、広帯域ＣＤＭＡ(ＷＣＤＭＡ)システム、またはユニバーサルモバイルテレコミュニケーションシステム（ＵＭＴＳ）を備える、請求項１５に記載の方法。
【発明の詳細な説明】
【技術分野】
【０００１】
相互関連出願
特許に関する本出願は、２０１１年１１月７日に出願され、本願の譲受人に譲渡され、本明細書に参照により明確に組み込まれ、「ＦＲＡＣＴＩＯＮＡＬ  ＳＹＳＴＥＭＳ  ＩＮ  ＷＩＲＥＬＥＳＳ  ＣＯＭＭＵＮＩＣＡＴＩＯＮＳ」と題する特許仮出願番号第６１／５５６，７７７号への優先権を主張する。
【背景技術】
【０００２】
無線通信システムは、音声、ビデオ、パケットデータ、メッセージ通信、ブロードキャスト、等などの様々なタイプの通信コンテンツを提供するために広く展開されている。これらシステムは、利用可能なシステムリソース（例えば、時間、周波数、および出力）を共有することによって複数のユーザとの通信をサポートできる多元接続システムであることがある。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および直交周波数分割多元接続（ＯＦＤＭＡ）システムがある。
【０００３】
一般に、無線多元接続通信システムは、各々が複数の移動端末用の通信を同時にサポートする多数の基地局を含み得る。基地局は、ダウンストリームリンクおよびアップストリームリンク上で移動端末と通信できる。各基地局は、スペクトルの割り当てられた周波数帯域およびカバレッジ範囲を有し、これはセルのカバレッジ領域と呼ばれることがある。サービスプロバイダは、典型的には、ある地理的領域における独占的な使用のために複数ブロックの周波数スペクトルを割り振られる。これらブロックの周波数は、使用される多元接続技術とは無関係に規制当局によって一般に割り当てられる。大部分のケースでは、これらブロックは、チャネル帯域幅の整数倍ではなく、従って、スペクトルの不使用部分があることがある。無線デバイスの使用が増加するにつれて、このスペクトルに対する要求および値が同様に急増している。それにもかかわらず、いくつかのケースでは、無線通信システムは、割り振られたスペクトルの部分が標準波形または通常波形にフィット(fit)するほど大きくないので、割り振られたスペクトルの部分を利用しない。ＬＴＥ標準の開発者は、問題を認識し、６つの異なるシステム帯域幅、すなわち、１．４と、３と、５と、１０と、１５と、２０ＭＨｚをサポートすることを決定した。これは、問題に対する１つの部分的な解を与えることができる。さらに、ある種のトラフィック負荷条件下でより高い能力をサポートするために、セル分割が空間ドメインにおいて生じることがある。言い換えると、セルのカバレッジ領域が、より小さい地理的領域へと空間的に分割され得る。空間分割する手法は、しかしながら、より多くの塔、より多くの機器、および／または追加のバックホール接続を一般に必要とする。より高いピークデータレートをサポートするために、２つの別々で独立したチャネルが、いくつかのケースでは１ユーザに割り当てられることがある。
【発明の概要】
【０００４】
無線通信用のフレキシブル帯域幅波形とフレキシブル帯域幅チャネルとを提供するための方法、システム、およびデバイスが説明される。実施形態は、現在の標準波形または通常波形にフィット(fit)するほど大きいとは限らないスペクトルの部分を利用することができる。チップレートは、スペクトルのこれら部分にフィットするフレキシブル帯域幅波形を生成および／または受信するように時々動的に適合され得る。いくつかの実施形態は、チップレートを適合させることを実装するためにスケーリング係数を利用できる。フレキシブル帯域幅は、いくつかのケースでは、標準波形または通常波形よりも大きい、またはより多くの帯域幅を使用する波形を生成するためにも利用され得る。フレキシブル帯域幅は、既存のチャネルを複数のより狭い周波数チャネルへと分割して、より高い能力をサポートするために使用されることが可能である。フレキシブル帯域幅は、複数のチャネルを１つのより広い周波数チャネルへと統合して、より大きいピークデータレートをサポートするためにも使用され得る。
【０００５】
いくつかの実施形態は、移動デバイスのチップレートを特定することを含み得る。チップレートは、移動デバイスがフレキシブル帯域幅チャネルを介して通信するように、動的に適合され得る。移動デバイスは、移動デバイスのチップレートを適合させるために基地局から調節情報を受信できる。移動デバイスは、フレキシブル帯域幅チャネルを介してフレキシブル帯域幅波形も受信することもできる。
【０００６】
いくつかの実施形態は、基地局においてフレキシブル帯域幅チャネルを決定することを含み得る。基地局は、通常帯域幅チャネルおよびフレキシブル帯域幅チャネル上に同時に送信できる。基地局は、フレキシブル帯域幅チャネルを介してフレキシブル帯域幅波形を受信するために移動デバイスのチップレートをどのようにして適合させるかを移動デバイスに通知するために、移動デバイスへ適合情報を送信することもできる。
【０００７】
いくつかの実施形態は、移動デバイスのチップレートを特定すること含み得る無線通信のための方法を含む。移動デバイスのチップレートは、移動デバイスがフレキシブル帯域幅チャネルを介して通信するように動的に適合され得る。
【０００８】
無線通信のための方法は、移動デバイスのチップレートを動的に適合させるために、基地局から適合情報を受信すること含み得る。フレキシブル帯域幅チャネルを特定するための１つまたは複数の中心周波数が受信され得る。無線通信のための方法は、いくつかの実施形態では、フレキシブル帯域幅チャネルを介して１つまたは複数のフレキシブル帯域幅波形を受信することを含み得る。
【０００９】
いくつかの実施形態は、オンザフライでチップレートを適合させることを含み得る。オンザフライでチップレートを適合させることは、移動デバイスがチップレートを適合させるにつれて、通常帯域幅チャネルからフレキシブル帯域幅チャネルへと移動させることを含み得る。オンザフライでチップレートを適合させることは、移動デバイスがチップレートを適合させるにつれて、第１の中心周波数から第２の中心周波数へ同調させることを含み得る。
【００１０】
いくつかの実施形態では、チップレートを適合させることは、移動デバイスの処理の周波数を適合させることを含む。チップレートを適合させることは、処理の周波数を変更するために分周器を使用することを含み得る。いくつかの実施形態では、チップレートを適合させることは、少なくとも１つのクロックの周波数を適合させることを含み、ここでは、少なくとも１つのクロックが、ＡＤＣクロック、ＤＡＣクロック、処理クロック、またはオフラインクロックのうちの少なくとも１つを含む。チップレートを適合させることは、少なくとも１つのクロックの周波数を変更するために分周器を使用することを含み得る。
【００１１】
いくつかの実施形態では、フレキシブル帯域幅チャネルは、現在の標準帯域幅チャネルまたは通常帯域幅チャネルよりも小さい。いくつかの実施形態では、フレキシブル帯域幅チャネルは、現在の標準帯域幅チャネルまたは通常帯域幅チャネルよりも大きい。
【００１２】
いくつかの実施形態は、基地局においてフレキシブル帯域幅チャネルを決定することを含み得る無線通信のための方法を含む。通常帯域幅チャネルおよびフレキシブル帯域幅チャネル上に送信することが、基地局から同時に生じることがある。
【００１３】
無線通信のための方法のいくつかの実施形態は、フレキシブル帯域幅チャネルを利用するために、基地局におけるチップレートを適合させることを含み得る。適合情報は、適合させたチップレートを移動デバイスに通知するために、基地局から移動デバイスへ送信され得る。１つまたは複数の中心周波数は、フレキシブル帯域幅チャネルを特定するために、移動デバイスに通信され得る。チップレートを適合させることは、基地局における処理の周波数を適合させることを含み得る。いくつかの実施形態では、チップレートを適合させることは、少なくとも１つのクロックの周波数を適合させることを含み、ここでは、少なくとも１つのクロックが、ＡＤＣクロック、ＤＡＣクロック、処理クロック、またはオフラインクロックのうちの少なくとも１つを含む。
【００１４】
いくつかの実施形態では、標準帯域幅チャネルまたは通常帯域幅チャネルおよびフレキシブル帯域幅チャネルは、同じ無線接続技術を利用する。チップレートを適合させることは、要求されたサービス品質に基づくことがある。チップレートを適合させることは、負荷に基づくことがある。チップレートを適合させることは、１つまたは複数の隣接セルのカバレッジに基づくことがある。
【００１５】
いくつかの実施形態は、フレキシブル帯域幅チャネルを利用するために構成された無線通信システムを含む。無線通信システムは、移動デバイスのチップレートを特定するための手段、および／または移動デバイスがフレキシブル帯域幅チャネルを介して通信するように、移動デバイスのチップレートを動的に適合させるための手段を含み得る。
【００１６】
無線通信システムは、移動デバイスのチップレートを動的に適合させるために、基地局から適合情報を受信するための手段を含み得る。いくつかの実施形態は、フレキシブル帯域幅チャネルを特定するために、１つまたは複数の中心周波数を受信するための手段を含み得る。いくつかの実施形態は、フレキシブル帯域幅チャネルを介して１つまたは複数のフレキシブル帯域幅波形を受信するための手段を含み得る。
【００１７】
いくつかの実施形態では、無線通信システムは、オンザフライで移動デバイスのチップレートを適合させるための手段をさらに含み得る。無線通信システムは、移動デバイスがチップレートを適合させるにつれて、通常帯域幅チャネルからフレキシブル帯域幅チャネルへと移動させるための手段を介して、オンザフライでチップレートを適合させるための手段を含み得る。無線通信システムは、移動デバイスがチップレートを適合させるにつれて、第１の中心周波数から第２の中心周波数へ同調させるための手段を介して、オンザフライでチップレートを適合させるための手段を含み得る。
【００１８】
いくつかの実施形態では、チップレートを適合させることは、移動デバイスの処理の周波数、少なくとも１つのクロックの周波数を適合させることを含み、ここでは、少なくとも１つのクロックが、ＡＤＣクロック、ＤＡＣクロック、処理クロック、またはオフラインクロックのうちの少なくとも１つを含む。
【００１９】
いくつかの実施形態は、移動デバイスのチップレートを特定するためのコード、および／または移動デバイスがフレキシブル帯域幅チャネルを介して通信するように、移動デバイスのチップレートを動的に適合させるためのコードを含み得る非一時的なコンピュータ可読媒体を含む無線通信システム内でフレキシブル帯域幅チャネルを利用するためのコンピュータプログラム製品を含む。
【００２０】
非一時的なコンピュータ可読媒体は、移動デバイスのチップレートを動的に適合させるために、基地局から適合情報を受信するためのコードを含み得る。非一時的なコンピュータ可読媒体は、フレキシブル帯域幅チャネルを特定するために１つまたは複数の中心周波数を受信するためのコードを含み得る。非一時的なコンピュータ可読媒体は、フレキシブル帯域幅チャネルを介して１つまたは複数のフレキシブル帯域幅波形を受信するためのコードを含み得る。いくつかの実施形態では、チップレートを適合させることは、移動デバイスの処理の周波数、少なくとも１つのクロックの周波数を適合させることを含み、ここでは、少なくとも１つのクロックが、ＡＤＣクロック、ＤＡＣクロック、処理クロック、またはオフラインクロックのうちの少なくとも１つを含む。
【００２１】
いくつかの実施形態では、非一時的なコンピュータ可読媒体は、オンザフライでチップレートを適合させるためのコードを含み得る。いくつかの実施形態は、移動デバイスがチップレートを適合させるにつれて、通常帯域幅チャネルからフレキシブル帯域幅チャネルへと移動させるためのコードを含むことができ、オンザフライでチップレートを適合させるためのコードを含み得る。いくつかの実施形態は、移動デバイスがチップレートを適合させるにつれて、第１の中心周波数から第２の中心周波数へ同調させるためのコードを含むことができ、オンザフライでチップレートを適合させるためのコードを含み得る。
【００２２】
いくつかの実施形態は、フレキシブル帯域幅チャネルを利用するために構成された無線通信デバイスを含む。無線通信デバイスは、移動デバイスのチップレートを特定するように、および／または移動デバイスがフレキシブル帯域幅チャネルを介して通信するように、移動デバイスのチップレートを動的に適合させるように構成された少なくとも１つのプロセッサを含み得る。無線通信デバイスは、少なくとも１つのプロセッサに結合された少なくとも１つのメモリを含むこともできる。
【００２３】
少なくとも１つのプロセッサは、移動デバイスのチップレートを動的に適合させるために、基地局から適合情報を受信するようにさらに構成され得る。少なくとも１つのプロセッサは、フレキシブル帯域幅チャネルを特定するために、１つまたは複数の中心周波数を受信するようにさらに構成され得る。少なくとも１つのプロセッサは、いくつかの実施形態では、フレキシブル帯域幅チャネルを介して１つまたは複数のフレキシブル帯域幅波形を受信するように構成され得る。いくつかの実施形態では、チップレートを適合させることは、移動デバイスの処理の周波数、少なくとも１つのクロックの周波数を適合させることを含み、ここでは、少なくとも１つのクロックが、ＡＤＣクロック、ＤＡＣクロック、処理クロック、またはオフラインクロックのうちの少なくとも１つを含む。
【００２４】
いくつかの実施形態では、少なくとも１つのプロセッサは、オンザフライでチップレートを適合させるようにさらに構成され得る。オンザフライでチップレートを適合させることは、移動デバイスがチップレートを適合させるにつれて、通常帯域幅チャネルからフレキシブル帯域幅チャネルへと移動させることを含み得る。オンザフライでチップレートを適合させることは、移動デバイスがチップレートを適合させるにつれて、第１の中心周波数から第２の中心周波数へ同調させることを含み得る。
【００２５】
いくつかの実施形態は、フレキシブル帯域幅を利用するために構成された無線通信システムを含む。無線通信システムは、基地局においてフレキシブル帯域幅チャネルを決定するための手段、および／または基地局から通常帯域幅チャネルおよびフレキシブル帯域幅チャネル上に同時に送信するための手段を含み得る。
【００２６】
無線通信システムは、フレキシブル帯域幅チャネルを利用するために基地局におけるチップレートを適合させるための手段を含み得る。無線通信システムは、適合させたチップレートを移動デバイスに通知するために、基地局から移動デバイスへ適合情報を送信するための手段を含み得る。無線通信システムは、フレキシブル帯域幅チャネルを特定するために、基地局から移動デバイスへ１つまたは複数の中心周波数を送信するための手段を含み得る。いくつかの実施形態では、チップレートを適合させることは、少なくとも要求されたサービス品質、負荷、または１つもしくは複数の隣接セルのカバレッジに基づく。
【００２７】
いくつかの実施形態は、基地局においてフレキシブル帯域幅チャネルを決定するためのコード、および／または基地局から通常帯域幅チャネルおよびフレキシブル帯域幅チャネル上に同時に送信するためのコードを含み得る非一時的なコンピュータ可読媒体を含む無線通信システム内でフレキシブル帯域幅を利用するためのコンピュータプログラム製品を含む。
【００２８】
非一時的なコンピュータ可読媒体は、フレキシブル帯域幅チャネルを利用するために基地局におけるチップレートを適合させるためのコードを含み得る。非一時的なコンピュータ可読媒体は、適合させたチップレートを移動デバイスに通知するために、基地局から移動デバイスへ適合情報を送信するためのコードをさらに含み得る。非一時的なコンピュータ可読媒体は、フレキシブル帯域幅チャネルを特定するために、基地局から移動デバイスへ１つまたは複数の中心周波数を送信するためのコードを含み得る。いくつかの実施形態では、チップレートを適合させることは、少なくとも要求されたサービス品質、負荷、または１つもしくは複数の隣接セルのカバレッジに基づく。
【００２９】
いくつかの実施形態は、フレキシブル帯域幅を利用するために構成された無線通信デバイスを含む。無線通信デバイスは、基地局においてフレキシブル帯域幅チャネルを決定するように、ならびに／または基地局から通常帯域幅チャネルおよびフレキシブル帯域幅チャネル上に同時に送信するように構成された少なくとも１つのプロセッサを含み得る。無線通信デバイスは、少なくとも１つのプロセッサに結合された少なくとも１つのメモリを含み得る。
【００３０】
少なくとも１つのプロセッサは、フレキシブル帯域幅チャネルを利用するために基地局におけるチップレートを適合させるように構成され得る。少なくとも１つのプロセッサは、適合させたチップレートを移動デバイスに通知するために、基地局から移動デバイスへ適合情報を送信するように構成され得る。少なくとも１つのプロセッサは、フレキシブル帯域幅チャネルを特定するために、基地局から移動デバイスへ１つまたは複数の中心周波数を送信するように構成され得る。いくつかの実施形態では、チップレートを適合させることは、少なくとも要求されたサービス品質、負荷、または１つもしくは複数の隣接セルのカバレッジに基づく。
【００３１】
上記は、下記に続く詳細な説明がより良く理解され得るように、開示に従った例の特徴および技術的な利点をどちらかと言えば広く概説している。さらなる特徴が、以降に説明されるであろう。開示した概念および具体的な例は、本開示の同じ目的を果たすために変更することまたは他の構造を設計することのための基礎として容易に利用され得る。そのような等価な構成は、別記の特許請求の範囲の精神および範囲から逸脱しない。本明細書において開示する概念の特性であると考えられる特徴は、それらの体系および動作の方法の両方に関して、付随する利点とともに、添付の図に関連して考えると下記の説明からより良く理解されるであろう。図の各々は、例示および説明の目的で与えられるにすぎず、特許請求の範囲の限界の定義として与えられない。
【図面の簡単な説明】
【００３２】
本発明の本質と利点とのさらなる理解が、添付の図面を参照することによって実現され得る。添付の図では、類似の構成要素または特徴は、同じ参照符号を有することができる。さらに、同じタイプの様々な構成要素は、参照符号に続くダッシュおよび類似の構成要素間を識別する第２の符号によって識別され得る。第１の参照符号だけが明細書において使用される場合には、記述は、第２の参照符号とは無関係に同じ第１の参照符号を有する類似の構成要素のうちのいずれか１つに適用可能である。
【図１】様々な実施形態に従った無線通信システムのブロック図。
【図２Ａ】様々な実施形態に従って、フレキシブル波形が、通常波形にフィットするほど広くないスペクトルの部分に合う、無線通信システムの一例を示す図。
【図２Ｂ】様々な実施形態に従って、フレキシブル波形が帯域の端近くのスペクトルの部分にフィットする無線通信システムの一例を示す図。
【図２Ｃ】様々な実施形態に従った、フレキシブル帯域幅が既存の周波数チャネルを複数のより狭い周波数チャネルへと分割するために利用され得る無線通信システムの一例を示す図。
【図２Ｄ】様々な実施形態に従った、フレキシブル帯域幅が複数の周波数チャネルを１つのより広い周波数チャネルへと結合するために利用され得る無線通信システムの一例を示す図。
【図３】フレキシブル帯域幅が様々な実施形態に従って利用され得るスペクトルの一例を示す図。
【図４】様々な実施形態に従った、フレキシブルＵＭＴＳ用の可能性のあるスペクトルの一例を示す図。
【図５】標準ＵＭＴＳを使用するＧＳＭ（登録商標）リフレーミングの一例を示す図。
【図６】様々な実施形態に従った、フレキシブル帯域幅を用いるＧＳＭリフレーミングの一例を示す図。
【図７】様々な実施形態に従ったシステムクロックレジームの一例を示す図。
【図８】様々な実施形態に従って、フレキシブル帯域幅の使用が無線通信システム内の様々なパラメータにどのように影響を与えることがあるかを反映できる表。
【図９】様々な実施形態に従った適応フレキシブル帯域幅機能を含むデバイスを図示するブロック図。
【図１０】様々な実施形態に従ってフレキシブル帯域幅を利用するように構成された移動デバイスのブロック図。
【図１１】様々な実施形態に従ってフレキシブル波形を利用するために構成され得る通信システムのブロック図。
【図１２】様々な実施形態に従った基地局と移動デバイスとを含む無線通信システムのブロック図。
【図１３Ａ】様々な実施形態に従った無線通信のための方法の流れ図。
【図１３Ｂ】様々な実施形態に従った無線通信のための方法の流れ図。
【図１４Ａ】様々な実施形態に従った無線通信のための方法の流れ図。
【図１４Ｂ】様々な実施形態に従った無線通信のための方法の流れ図。
【発明を実施するための形態】
【００３３】
詳細な説明
方法、システム、およびデバイスが、無線通信用のフレキシブル帯域幅とフレキシブル波形とを提供するために説明される。実施形態は、現在の標準波形または通常波形にフィットするほど大きいとは限らないスペクトルの部分を利用できる。チップレートは、スペクトルのこれら部分にフィットするフレキシブル帯域幅波形を生成するおよび／または受信するために、時々動的に、適合され得る。いくつかの実施形態は、チップレートに適合させるためにスケーリング係数を利用できる。フレキシブル帯域幅は、現在の標準波形または通常波形よりも大きいまたはより多くの帯域幅を使用する波形を生成するためにも利用され得る。
【００３４】
フレキシブル帯域幅のいくつかの実施形態は、既存の周波数チャネルを、より高い能力をサポートできる複数のより狭い周波数チャネルへと分割することを含み得る。これゆえ、セルサイトによってカバーされた空間領域をより小さい地理的領域へと分割することの代わりに、同じカバレッジを有するがより低いピークデータレートを有する複数のより狭い周波数チャネルへと分割することが可能である。この手法は、より少ない数の塔、より少ないハードウェア、および／またはより少ないバックホール接続しか必要としないことがある。フレキシブル帯域幅は、複数の周波数チャネルを、例えば、より高いピークデータレートをサポートするために利用され得る１つのより広い周波数チャネルへと結合することを含むこともできる。
【００３５】
いくつかの実施形態は、移動デバイスのチップレートを特定することを含み得る。チップレートは、移動デバイスがフレキシブル帯域幅チャネルを介して通信できるように、動的に適合され得る。移動デバイスは、移動デバイスのチップレートを適合させるために、基地局から調節情報を受信できる。移動デバイスは、フレキシブル帯域幅チャネルを介してフレキシブル帯域幅波形を受信することもできる。
【００３６】
いくつかの実施形態は、基地局においてフレキシブル帯域幅チャネルを決定することを含み得る。基地局は、通常帯域幅チャネルおよびフレキシブル帯域幅チャネル上に同時に送信できる。基地局は、移動デバイスへ適合情報も送信することができ、フレキシブル帯域幅チャネルを介してフレキシブル帯域幅波形を受信するために、移動デバイスがそれ自体のチップレートをどのようにして適合させるかを通知できる。
【００３７】
いくつかの実施形態は、スペクトルの部分が通常波形にフィットするほど大きくないので、オペレータによって現在使用されないことがあるスペクトルの一部を利用できる。新たなチャネル数が、スペクトルのこれら部分に許可され得る。スペクトルの各部分の幅に応じて、異なるチップレートが、スペクトルの異なる部分に対して割り当てられることがある。いくつかの実施形態は、オンザフライでチップレートおよび／またはスケーリング係数を変更することが可能な無線デバイスを含み得る。無線デバイスの状態に応じて、デバイスは、適切なチップレートを使用して利用可能なチャネル上にキャンプオンする（camp on）ことができる。
【００３８】
本明細書において説明する技術は、ＣＤＭＡ、ＴＤＭＡ、ＦＤＭＡ、ＯＦＤＭＡ、ＳＣ−ＦＤＭＡ、および他のシステムなどの様々な無線通信システムに対して使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）、等などの無線技術を実装できる。ＣＤＭＡ２０００は、ＩＳ−２０００と、ＩＳ−９５と、ＩＳ−８５６標準と、後継標準とをカバーできる。ＩＳ−２０００リリース０およびＡは、ＣＤＭＡ２０００  １Ｘ、１Ｘ等と一般に呼ばれる。ＩＳ−８５６（ＴＩＡ−８５６）は、ＣＤＭＡ２０００  １ｘＥＶ−ＤＯ、高レートパケットデータ（ＨＲＰＤ）、等と一般に呼ばれる。ＵＴＲＡは、広帯域ＣＤＭＡ（ＷＣＤＭＡ（登録商標））と、ＣＤＭＡの他の変形とを含む。ＴＤＭＡシステムは、グローバルシステムフォーモバイルコミュニケーションズ（ＧＳＭ）などの無線技術を実装できる。ＯＦＤＭＡシステムは、ウルトラモバイルブロードバンド（ＵＭＢ）、エボルブドＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、フラッシュ−ＯＦＤＭ、等などの無線技術を実装できる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用するＵＭＴＳの新版である。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書において説明する技術は、上記のシステムおよび無線技術ならびに他のシステムおよび無線技術に対して使用され得る。
【００３９】
従って、下記の説明は、例を提供し、そして特許請求の範囲において記述する範囲、応用性、または構成を限定していない。変更が、本開示の精神および範囲から逸脱せずに論じた要素の機能および配置に行われることがある。様々な実施形態は、適宜様々な手順または構成要素を省略する、置き換える、または追加できる。例えば、説明した方法は、説明したものとは異なる順番で行うことができ、そして様々なステップが、追加される、省略される、または組み合わせられることができる。また、ある種の実施形態に関連して説明した構成は、他の実施形態では組み合わせられることできる。
【００４０】
最初に図１を参照して、ブロック図は、様々な実施形態に従った無線通信システム１００の一例を図示する。システム１００は、基地局１０５と、移動デバイス１１５と、基地局コントローラ１２０と、コアネットワーク１３０とを含む（コントローラ１２０は、いくつかの実施形態ではコアネットワーク１３０中に統合されることがあり、いくつかの実施形態では、コントローラ１２０は、基地局１０５中に統合され得る）。システム１００は、複数の搬送波（異なる周波数の波形信号）上で動作をサポートできる。多重搬送波送信機は、複数の搬送波上に同時に変調された信号を送信することが可能である。各変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、単一搬送波ＦＤＭＡ（ＳＣ−ＦＤＭＡ）信号、等であってよい。各変調信号は、異なる搬送波上に送信されることがあり、制御情報（例えば、パイロット信号）、オーバーヘッド情報、データ、等を搬送できる。システム１００は、ネットワークリソースを効率的に割り振ることができる多重搬送波ＬＴＥネットワークであってよい。
【００４１】
移動デバイス１１５は、移動局、移動デバイス、アクセス端末、加入者ユニット、またはユーザ機器のうちのいずれのタイプであってよい。移動デバイス１１５は、セルラー電話機と無線通信デバイスとを含み得るが、携帯情報端末（ＰＤＡ）、スマートフォン、他の手持ちデバイス、ネットブック、ノートブックコンピュータ、等を含むこともできる。従って、移動デバイスという用語は、任意のタイプの無線通信デバイスまたはモバイル通信デバイスを含むように、特許請求の範囲を含む以降の本明細書では広く解釈されるべきである。
【００４２】
基地局１０５は、基地局アンテナを介して移動デバイス１１５と無線で通信できる。基地局１０５は、複数の搬送波を介してコントローラ１２０の制御の下で移動デバイス１１５と通信するように構成され得る。基地局１０５サイトの各々は、該当の地理的領域に対する通信カバレッジを提供することが可能である。いくつかの実施形態では、基地局１０５は、ノードＢ、ｅノードＢ、ホームノードＢ、および／またはホームｅノードＢと呼ばれることがある。各基地局１０５についてのカバレッジ領域は、ここでは１１０−ａ、１１０−ｂ、または１１０−ｃとして識別される。基地局についてのカバレッジ領域は、セクタ（図示しないが、カバレッジ領域の一部だけを構成するにすぎない）へと分割され得る。システム１００は、様々なタイプの基地局１０５（例えば、マクロ、マイクロ、フェムト、および／またはピコ基地局）を含み得る。本明細書において使用するように、「セル」という用語は、１）セクタ、または２）サイト（例えば、基地局１０５）を呼ぶことができる。従って、「マクロセル」という用語は、１）マクロセルセクタ、２）マクロセル基地局（例えば、マクロセル基地局１０５）、および／または３）マクロセルコントローラを呼ぶことができる。このように、「フェムトセル」という用語は、１）フェムトセルセクタ、または２）フェムトセル基地局（例えば、フェムトセルアクセスポイント）を呼ぶことができる。
【００４３】
下記の議論のために、移動デバイス１１５は、複数の基地局１０５によって円滑化されたマクロネットワークまたは類似のネットワーク上で動作する（「キャンプオンする」）ことができる。各基地局１０５は、比較的大きい地理的領域（例えば、半径で数百メートルから数キロメートル）をカバーすることができ、サービス加入を有する端末による無制限のアクセスを可能にできる。移動デバイス１１５の一部は、マクロセル基地局１０５のカバレッジ領域内で、（例えば、いくつかのケースではフェムトセルアクセスポイント（ＦＡＰ）と呼ばれることがあるフェムトセル基地局１０５と通信する）フェムトセルカバレッジ領域内で動作するように登録される（または、そうでなければ動作することを許可される）こともある。
【００４４】
例として、フェムトセル基地局１０５は、ホームノードＢ（「ＨＮＢ」）またはホームｅノードＢ（ＨｅＮＢ）として実装されることがあり、住宅、事務所ビルディング、等などのユーザ建物内に置かれることがある。マクロセル基地局は、いくつかの実施形態ではノードＢまたはｅノードＢによって実装され得る。
【００４５】
移動デバイス１１５、基地局１０５、コアネットワーク１３０、および／またはコントローラ１２０などのシステム１００の様々な態様は、様々な実施形態に従ってフレキシブル帯域幅とフレキシブル波形とを利用するように構成され得る。システム１００は、例えば、移動デバイス１１５と基地局１０５との間の送信１２５を示す。送信１２５は、移動デバイス１１５から基地局１０５へのアップリンク送信、および／または基地局１０５から移動デバイス１１５へのダウンリンク送信を含み得る。送信１２５は、フレキシブル波形および／または通常波形を含み得る。通常波形は、レガシ波形および／または通常波形と呼ばれることもある。
【００４６】
移動デバイス１１５、基地局１０５、コアネットワーク１３０、および／またはコントローラ１２０などのシステム１００の様々な態様は、様々な実施形態に従ってフレキシブル帯域幅とフレキシブル波形とを利用するように構成され得る。例えば、システム１００の様々な態様は、通常波形にフィットするほど大きいとは限らないスペクトルの部分を利用できる。移動デバイス１１５、基地局１０５、コアネットワーク１３０、および／またはコントローラ１２０などのデバイスは、フレキシブル帯域幅および／またはフレキシブル波形を生成するおよび／または利用するために、チップレートおよび／またはスケーリング係数を適合させるように構成され得る。いくつかのケースでは、これらデバイスは、スペクトルのこれら部分にフィットするフレキシブル波形を生成するために、動的にこれら適合を行わせることができる。システム１００のいくつかの態様は、（ある種の移動デバイス１１５および／または基地局１０５などの）フレキシブルサブシステムを形成することができ、これは通常サブシステムの時間に対してフレキシブルサブシステムの時間を拡大すること、またはスケールダウンすることを介して（他の移動デバイス１１５および／または基地局１０５を使用して実装され得る）通常サブシステムに関連して生成され得る。
【００４７】
上記のように、フレキシブルサブシステムは、通常波形よりも少ない帯域幅を占有するフレキシブル波形を生成するために使用され得る。例えば、帯域端部においては、通常波形を配置するために利用可能なスペクトルが十分でないことがある。フレキシブルサブシステムに関して、時間が拡大するにつれて、波形によって占有される周波数は小さくなり、従って通常波形にフィットするほど広いとは限らないスペクトルへとフレキシブル波形がフィットすることを可能にさせる。いくつかの実施形態では、フレキシブルサブシステムは、追加の基地局識別子を提供するために、追加のＰＮオフセット生成するようにも利用され得る。スケーリング情報は、他のサブシステム上で測定を行うこと、他のサブシステムへのハンドオフを行うこと、再選択を行うこと、整列させること、等のために利用され得る。図２Ａは、無線通信システム２００−ａの一例を示し、これは、基地局１０５−ａと移動デバイス１１５−ａとを有する図１のシステム１００の一例であってもよく、そこでは、フレキシブル波形２１０−ａは、通常波形２１５−ａおよび／または２１５−ｂなどの通常波形にフィットするほど広くないスペクトルの部分にフィットする。これら波形は、例えば、図１に示したような１つまたは複数の送信１２５の一部であってよい。図２Ｂは、無線通信システム２００−ｂの一例を示し、これは、基地局１０５−ｂと移動デバイス１１５−ｂとを有する図１のシステム１００の一例であってもよく、そこでは、フレキシブル波形２１０−ｂは、カードバンドであってもよく、波形２１５−ｃなどの通常波形がフィットするとは限らない帯域の端近くのスペクトルの部分にフィットし得る。これら波形は、例えば、図１に示したような１つまたは複数の送信１２５の一部であってよい。
【００４８】
通常チャネル帯域幅よりも小さいまたは大きいものにフィットするフレキシブル帯域幅を使用することに加えて、フレキシブル波形は、通常周波数チャネルをＮ個のより狭い周波数チャネルへと分割することをサポートして、より多くのユーザおよび／またはより高い能力をサポートするために使用されることが可能である。これは、トラフィック要求にチャネル帯域幅を適合させるために非常に有用なチャネル分割技術および統合技術を提供できる。従って、より多くのユーザをサポートするためにセルのカバレッジ領域をより小さい地理的領域へと分割することの代わりに、周波数チャネルを、各々が同じカバレッジ領域を有するがより低いピークデータレートを有するＮ個のより狭い周波数チャネルへと分割することが可能である。この手法は、より多くの塔、より多くのハードウェアおよび／またはより多くの追加のバックホール接続を必要とするとは限らない。図２Ｃは、無線通信システム２００−ｃの一例を示し、これは、基地局１０５−ｉと移動デバイス１１５−ｉとを有する図１のシステム１００の一例であってもよく、そこでは、より広いチャネル２２０が２つ（以上の）より狭いチャネル２２５−ａ／２２５−ｂへと分割され得る。いくつかの実施形態では、より狭いチャネル２２５は、フレキシブル帯域幅チャネルであってよい。いくつかのケースでは、より広いチャネル２２０は、通常帯域幅チャネルであってよい。通常帯域幅チャネルおよび／またはフレキシブル帯域幅チャネルの他の構成も、いくつかの実施形態で利用され得る。また、フレキシブル帯域幅は、複数の周波数チャネルを、例えばより高いピークデータレートをサポートできる１つのより広いチャネルへと結合するために使用されることが可能である。図２Ｄは、無線通信システム２００−ｄの一例を示し、これは、基地局１０５−ｊと移動デバイス１１５−ｊとを有する図１のシステム１００の一例であってもよく、そこでは、２つ（以上）のより狭いチャネル２３５−ａ／２３５−ｂがより広いチャネル２３０を形成するために結合され得る。いくつかの実施形態では、より狭いチャネル２３５は、通常帯域幅チャネルであってよい。いくつかのケースでは、より広いチャネル２３０は、フレキシブル帯域幅チャネルであってよい。通常帯域幅チャネルおよび／またはフレキシブル帯域幅チャネルの他の構成が、単に例として、より狭いチャネル２３５およびより広いチャネル２３０がすべてフレキシブル帯域幅チャネルである場合などのいくつかの実施形態でも利用され得る。
【００４９】
上に論じたように、フレキシブル波形は、通常波形よりも少ない帯域幅を占有する波形であってよい。従って、フレキシブル帯域幅システムでは、同数のシンボルおよびビットが、通常帯域幅システムと比較してより長い期間にわたって送信され得る。これは、タイムストレッチを結果としてもたらすことができ、これによって、スロット期間、フレーム期間、等は、スケーリング係数Ｎだけ増加することがある。スケーリング係数Ｎは、フレキシブル帯域幅（ＢＷ）に対する通常帯域幅の比率を表すことができる。従って、フレキシブル帯域幅システムにおけるデータレートは、等しいことがあり（通常レート×１／Ｎ）、かつ遅延が、等しいことがある（通常遅延×Ｎ）。一般に、フレキシブルシステムチャネルＢＷ＝通常システムのチャネルＢＷ／Ｎである。遅延×ＢＷは、変化しないままであってよい。さらに、いくつかの実施形態では、フレキシブル波形は、通常波形よりもより多くの帯域幅を占有する波形であってよい。
【００５０】
本明細書全体を通して、通常システム、通常サブシステム、および／または通常波形という用語は、１に等しい（例えば、Ｎ＝１）ことがあるスケーリング係数または通常チップレートもしくは標準チップレートを利用できる実施形態を包含するシステム、サブシステム、および／または波形を呼ぶために利用され得る。これら通常システム、通常サブシステム、および／または通常波形は、標準および／またはレガシシステム、サブシステム、および／または波形と呼ばれることもある。さらに、フレキシブルシステム、フレキシブルサブシステム、および／またはフレキシブル波形は、１に等しくない（例えば、Ｎ＝２、４、８、１／２、１／４、等）ことがあるスケーリング係数を利用できる実施形態を包含するシステム、サブシステム、および／または波形を呼ぶために利用され得る。Ｎ＞１に関して、またはチップレートが減少する場合には、波形の帯域幅が減少することがある。いくつかの実施形態は、帯域幅を増加させるスケーリング係数またはチップレートを利用できる。例えば、Ｎ＜１である場合、またはチップレートが増加する場合には、波形は、通常波形よりも大きい帯域幅をカバーするように拡張され得る。フレキシブルシステム、フレキシブルサブシステム、および／またはフレキシブル波形は、いくつかのケースでは部分システム、部分サブシステム、および／または部分波形と呼ばれることもある。部分システム、部分サブシステム、および／または部分波形は、例えば、帯域幅を変えることも変えないこともある。部分システム、部分サブシステム、または部分波形は、通常または標準システム、サブシステム、または波形（例えば、Ｎ＝１システム）よりも大きい可能性を提供するので、部分システム、部分サブシステム、または部分波形は、フレキシブルであってよい。
【００５１】
いくつかの実施形態は、適応フレキシブル帯域幅を提供するシステム、デバイス、および／または方法を含む。これら実施形態は、スペクトルの認可された一部分が全体の通常波形にフィットするほど大きくないので、オペレータによって現在使用されていないことがある認可されたスペクトルの一部分を利用できる。新たなチャネル数は、スペクトルのこれら部分に割り当てられることがある。スペクトルの各部分の幅に応じて、異なるチップレート、またはスケーリング係数が、スペクトルの異なる部分に割り当てられることがある。いくつかの実施形態は、オンザフライでチップレートを変更することが可能である無線デバイスを含み得る。無線デバイスの状態に応じて、デバイスは、適切なチップレートを使用して利用可能なチャネル上にキャンプオンできる。
【００５２】
いくつかの実施形態では、この出願の全体を通して移動デバイス１１５などの無線デバイスは、オンザフライでそれ自体のチップレートを動的に適合させることができる。移動デバイスは、例えば、通常帯域幅チャネル上にキャンプオンできる。移動デバイスがフレキシブル帯域幅チャネルへと移動するにつれて、移動デバイスがフレキシブル帯域幅チャネルを介して通信できるように、移動デバイスは、それ自体のチップレートを同時に適合させることができる。いくつかの実施形態では、移動デバイスが通常帯域幅チャネルからフレキシブル帯域幅チャネルへ同調されるにつれて、移動デバイスは、それ自体のチップレートを適合させることができる。これは、移動デバイスを１つの中心周波数から別の中心周波数へ同調させることを包含できる。いくつかのケースでは、移動デバイスがそれ自体のチップレートを適宜に適合させるにつれて、移動デバイスは、１つのフレキシブル帯域幅チャネルから別のフレキシブル帯域幅チャネルへ同調させることもでき、または通常帯域幅チャネルもしくは別の通常帯域幅チャネルへと戻すことができる。いくつかの実施形態では、オンザフライでそれ自体にチップレートを適合させるよりはむしろ、移動デバイスは、それ自体のチップレートを最初に適合させることができ、次いでフレキシブル帯域幅チャネルまたは通常帯域幅チャネルなどの別のチャネルへと移動するまたは同調させることができる。いくつかの実施形態では、移動デバイスは、フレキシブル帯域幅チャネルまたは通常帯域幅チャネルなどの別のチャネルへと最初に移動するまたは同調させることができ、次いでそれ自体のチップレートを適合させることができる。移動デバイスのチップレートを適合させることは、オンザフライであるか否かにかかわらず、いくつかの実施形態では臨機応変に行われることがある。
【００５３】
いくつかの実施形態は、スペクトルの部分が通常波形にフィットするほど大きくないので、十分に利用されないことがある世界中のスペクトルの部分を利用するように構成され得る。いくつかの実施形態は、既存のサービスの総合的なスペクトル効率を改善できるような方法で、これらスペクトルの部分を利用できるシステム、デバイス、および／または方法を提供する。他の実施形態は、通常波形にフィットし得るものよりも大きいスペクトルの部分を利用できる。
【００５４】
例えば、フレキシブル波形は、通常波形と比較してフレキシブル帯域幅を有するｃｄｍａ２０００波形またはＷＣＤＭＡ波形を作り出すために利用され得る。これは、デバイス側と基地局／ノードＢ側の両方において（１つまたは複数の）クロックを比例して遅くすることを介して実現され得る。例えば、１／２波形を作り出すために、チップレートは、２の係数によってスケールダウンされることがあり、他の係数が、他のフレキシブル波形を作り出すためにいくつかのケースでは利用され得る。システム内のクロックのうちの一部またはすべてが、この効果を実現するためにスケーリングされ得る。
【００５５】
図３は、様々な実施形態に従ってフレキシブル帯域幅が利用され得る一例を示す。図３は、米国における８００ＭＨｚスペクトル（参照番号３００）を描く。モバイル送信帯域３１０およびベース送信帯域３２０からの部分を含むフレキシブル帯域幅ｃｄｍａ２０００が利用され得るスペクトルの空白部分がある。様々な可能なシナリオは、限定されないが、下記の可能なシナリオを含み、実装され得る。ＣＤＭＡセルラーオペレータに関して、フレキシブル帯域幅を利用する下記のチャネルが利用され得る：サブバンドＡ内のチャネル＃３１４のところの１／４（可能性として１／２）チャネル；サブバンドＢ内のチャネル＃３５３のところの１／４（可能性として１／２）チャネル；サブバンドＡ’内のチャネル＃５８６のところの１／２チャネル；サブバンドＡ’内のチャネル＃７０１のところの１／４チャネル；サブバンドＢ’内のチャネル＃７３２のところの１／４チャネル；および／またはサブバンドＢ’内のチャネル＃７８４のところの１／４チャネル。この例は、合計５つの追加チャネル、各々１／４幅および１／２チャネルまたは積極的には３チャネル１／４幅および３チャネル１／２幅、を示す。ＣＤＭＡ  ＰＣＳオペレータに関して、フレキシブル帯域幅を利用する下記のチャネルが利用され得る：サブバンドＡ内のチャネル＃９のところの１／４チャネル；サブバンドＡ内のチャネル＃２９１のところの１／４チャネル；サブバンドＤ内のチャネル＃３０９のところの１／４チャネル；サブバンドＤ内のチャネル＃３９１のところの１／４チャネル；および／またはサブバンドＢと、Ｅと、Ｆと、Ｃとについて繰り返す。これは、各々１／４幅の合計１２個の追加チャネルを結果としてもたらすことがある。利用された他のチャネルは、他の実施形態において使用され得る。
【００５６】
フレキシブル帯域幅の使用は、総合的なスペクトル効率の改善を提供できる。例えば、サブ−Ａ帯域オペレータは、合計９．８４ＭＨｚにわたり展開された８つのチャネルを典型的に有する。フレキシブルチャネルを追加することによって、総合的なスペクトル効率は、例えば、等価な全チャネル（１２．５％）だけ増加することがある。サブ帯域Ｂオペレータに関して、改善は、１４．３％（７つの現在使用するチャネル）である場合がある。５ＭＨｚサブ帯域ＰＣＳオペレータに関して、改善は、１６．７％である場合があり、１５ＭＨｚサブ帯域ＰＣＳオペレータに関して４．５％であることがある。
【００５７】
別の例では、フレキシブル帯域幅は、ＵＭＴＳを用いて利用され得る。例えば、各２つのＵＭＴＳチャネル間では、フレキシブル波形用に使用され得る典型的に利用可能な８００ＫＨｚがある。これらフレキシブルチャネルは、良い差別化構成フェムトセル展開として使用され得る。今日のフェムトセルまたはピコセルの展開問題の大部分は、マクロセルを共有するスペクトルに関係付けられることがある。フェムトセル用に専用のスペクトルを有することは、これら問題（例えば、干渉、移動性管理、到達範囲、能力、等）を解決できる。例えば、１０ＭＨｚのスペクトルを所有するオペレータは、ガードバンドおよび１つまたは複数の追加のフレキシブルチャネルとして１．６ＭＨｚを残した状態で８．４ＭＨｚのスペクトルを占有する２つのＵＭＴＳチャネルを展開し得る。
【００５８】
図４は、可能性のあるフレキシブルＵＭＴＳスペクトルが実装され得るＵＭＴＳスペクトル４００の一例を示す。動作の標準モードでは、移動デバイスは、８２７ＭＨｚチャネル４２０から新しい周波数へ同調させることによって８３２ＭＨｚチャネル４３０へと切り替えることが可能である。しかしながら、フレキシブル帯域幅４１０へと切り替えることは、移動デバイスおよび基地局がフレキシブル帯域幅スペクトル上で通信することを必要とすることがある。
【００５９】
いくつかの実施形態は、世界のある領域ではＧＳＭ帯域のうちの一部をリフレーミングすることを含み得る。図５は、１つのＵＭＴＳチャネル５１０の使用をともなう一例のＧＳＭリフレーミング５００を示す。１０ＭＨｚ割振りのケースでは、例えば、オペレータは、１つのＵＭＴＳチャネル５１０を展開することができ、レガシユーザをサポートするために約２５個のＧＳＭチャネル（１２個のＧＳＭチャネル５２０−ａ／５２０−ｂの２つのグループとして示される）を残すように強いられることがある。図６は、フレキシブル帯域幅チャネルを使用するＧＳＭリフレーミング６００の一例を示す。フレキシブル波形の利用可能性は、フレキシブル（１／２）チャネル５３０を追加するために自由度を提供することができ、そしてレガシＧＳＭユーザをサポートするために（１つの通常ＵＴＭＳチャネル５１０−ａとともに）１２個のチャネル５２０−ｃを依然として有することができる。
【００６０】
スペクトルのこれら部分は、例えば、ＨＳＰＡおよび／またはＥＶ−ＤＯ（例えば、改訂版Ｂ）用の補足的なダウンリンクチャネルとしても使用され得る。本明細書において論じたようにスペクトルのこれら部分および他のフレキシブル帯域幅スペクトルは、マイクロセル、フェムトセル、および／またはピコセルを含むが、これらに限定されない小さいセル用にも利用され得る。いくつかの実施形態では、フレキシブル帯域幅スペクトルは、通信のマシン間および／またはマシンタイプのためのアップリンク共有チャネル（ＵＳＣＨ）スペクトル用に利用され得る。
【００６１】
いくつかの実施形態は、送信の前にベースバンドデータを拡散するために固有の拡散符号を使用できる符号分割多元接続（ＣＤＭＡ）を利用できる。符号は、ベースバンドデータのレートよりもはるかに高いレートで生成される１／ゼロシーケンスの形式を取ることができる。拡散符号のレートは、チップ信号と呼ばれることがある。チップレートは、信号の帯域幅を規定できる。展開したＣＤＭＡシステムは、固定チップレートを一般に使用する。例えば、ｃｄｍａ２０００は、１．２２８８Ｍｃｐｓを使用し、そしてＷＣＤＭＡは、３．８８４Ｍｃｐｓを使用する。システム内のすべてのセルおよび／またはセクタは、同じチップレートを使用できる。
【００６２】
通常波形チップレートと比較してチップレートを低下させることによって、減少した帯域幅波形を生成することが可能である。狭帯域またはフレキシブル帯域幅を使用することは、例えば、オペレータが許可されたスペクトルのうちで現在不使用の部分を利用することを可能にすることによって総合的なスペクトル効率を改善する。対照的に、いくつかの実施形態は、通常波形チップレートと比較してチップレートを増加させることができ、従って、拡張した帯域幅波形を生成する。
【００６３】
図１および／または図２の移動デバイス１１５などの移動デバイスは、デュアルモード（通常およびフレキシブル）で動作するように構成され得る。移動デバイスからサービスの要求を受信すると、そしてサービス品質に応じて、図１および／または図２の基地局１０５などの基地局は、移動デバイスがフレキシブル帯域幅波形を使用できるかを判断できる。基地局は、移動デバイスへフレキシブル帯域幅に関する中心周波数とスケーリング係数とを送ることができる。
【００６４】
図１および／または図２の移動デバイス１１５および／または基地局１０５などの移動デバイスおよび／または基地局は、デュアルモード（通常およびフレキシブル）で動作するように構成され得る。移動デバイスからサービスの要求を受信すると、例えば、基地局は、移動デバイスがフレキシブル帯域幅波形を使用できるかを判断できる。基地局は、移動デバイスにフレキシブル帯域幅に関する１つもしくは複数の中心周波数、スケーリング係数、または他のチップレート適合情報を送ることができる。移動デバイスは、新しいチャネルに同調させることができ、サービスを受信するために適宜スケーリング係数または他のチップレート適合情報を利用できる。移動デバイスは、フレキシブル帯域幅チャネル上で通信するようにそれ自体を構成できる。
【００６５】
いくつかの実施形態では、移動デバイスおよび／または基地局は、フレキシブル帯域幅波形を利用するために、図７においてシステムクロックレジーム７００に示したように、ＡＤＣクロック７１０、ＤＡＣクロック７２０、処理クロック７３０、および／またはオフラインクロック７４０の周波数を変更できる。システムクロックレジーム７００は、ＡＤＣクロック７１０および／またはＤＡＣクロック７２０と通信するアナログベースバンドモジュール７５０も示す。アナログベースバンドモジュール７５０は、オフラインクロック７４０および／または処理クロック７３０と通信できるベースバンド処理モジュール７６０と通信できる。これらクロック７１０〜７４０は、例えば、ブロック処理レート、割込みレート、間引きレート、および／または補間レートを制御できる。いくつかの実施形態では、オフラインクロック７４０は、変更されなくてもよい。いくつかの実施形態は、オフラインクロック７４０を含まないことがある。いくつかの実装形態は、処理クロック７３０を含み得る。処理クロック７３０は、オフラインモードでなくてもよい。処理クロック７３０は、遅くされることもされないこともある。
【００６６】
基地局は、いくつかの実施形態では、通常チャネルとフレキシブルチャネルとを同時に送信していることがある。フレキシブルチャネルは、チップレートを修正することによって生成されることがあり、同じまたは異なる無線技術のものであり得る。両方のチャネルは、データおよび／またはシグナリングを含み得る。シグナリングは、これらチャネルにとどめられたおよび／または結び付けられた移動デバイスを構成するために使用され得る。シグナリングは、２つのチャネル間の移動デバイスの動きを管理するためにも使用され得る。
【００６７】
別の実施形態では、基地局は、チップレートを適合させることができ、従って、干渉および最大システムリソースを管理するために、要求されたサービス品質、負荷および／または隣接するセルのカバレッジに応じて、送信した波形の帯域幅が変わることがある。
【００６８】
フレキシブル帯域幅波形の使用は、マシン間、小セル展開（フェムト、ピコ、メトロ、等）、２Ｇスペクトルに対する３Ｇサービスのロールアウト（ＧＳＭリフレーミング）、中間データレートサービス、および／または音声サービスを含むが、これらに限定されない多くのアプリケーションを有する。
【００６９】
フレキシブル帯域幅の使用は、無線通信システム内の様々なパラメータに影響を与えることがある。図８は、あるチップレートを有するＲＦチャネルを割り当てるときに考慮するいくつかの選択肢を示す表８００を示し、ここでは、Ｗは帯域幅であり、Ｎはスケーリング係数であり、そしてｎはチャネル伝播定数である。表８００は、通常波形に関する：帯域幅＝Ｗ；データレート＝Ｒ；送信出力＝Ｐ；到達範囲＝Ｄ；および能力＝Ｃを含む。表８００は、マクロセル用のフレキシブル波形に関して、同じパラメータが下記のもの：帯域幅＝Ｗ／Ｎ；データレート＝Ｒ／Ｎ；送信出力＝Ｐ／Ｎ、到達範囲＝Ｄ；および能力＝Ｃに変わることを示す。フェムトセル用のフレキシブル波形に関して、パラメータは、下記のもの：帯域幅＝Ｗ／Ｎ；データレート＝Ｒ；送信出力＝Ｐ／Ｎ、到達範囲＝Ｄ；および能力＝Ｃ／Ｎに変わる。マクロセル用に拡大した到達範囲を有するフレキシブル波形では、パラメータは、下記のもの：帯域幅＝Ｗ／Ｎ；データレート＝Ｒ／Ｎ；送信出力＝Ｐ；到達範囲＝Ｄ＊Ｎ∧（１／ｎ）；および能力＝Ｃに変わる。
【００７０】
通常チャネル帯域幅よりも小さいまたは大きい帯域幅にフィットするフレキシブル帯域幅を使用することに加えて、フレキシブル波形は、より多くのユーザおよび／またはより高い能力をサポートするために、通常周波数チャネルをＮ個のより狭い周波数チャネルへと分割することをサポートするように使用されることが可能である。これは、トラフィック要求にチャネル帯域幅を適合させるために極めて有用なチャネル分割技術と統合技術とを提供できる。従って、より多くのユーザをサポートするために、セルのカバレッジ領域をより小さい地理的領域へと分割することの代わりに、周波数チャネルを、各々が同じカバレッジ領域を有するがより低いピークデータレートを有するＮ個のより狭い周波数チャネルへと分割することが可能である。この手法は、より多くの塔、より多くのハードウェアおよび／またはより多くの追加のバックホール接続を必要とするとは限らない。また、フレキシブル帯域幅は、複数の周波数チャネルを、より高いピークデータレートをサポートできる１つのより広いチャネルへと結合するために使用されることが可能である。
【００７１】
次に図９に転じて、ブロック図は、適応フレキシブル帯域幅機能を含むデバイス９００を図示する。デバイス９００は、図１、図２Ａ、図２Ｂ、図２Ｃ、図２Ｄ、図１０、図１１および／もしくは図１２の移動デバイス１１５の一例であってもよく、ならびに／または適応フレキシブル帯域幅機能を集積しているデバイス（例えば、図１、図２Ａ、図２Ｂ、図２Ｃ、図２Ｄ、図１１および／もしくは図１２の基地局１０５）であってよい。デバイス９００は、図７のシステムクロックレジーム７００の一例であってよい。デバイス９００は、プロセッサであってよい。デバイス９００は、受信機モジュール９０５、チップレートモジュール９１０および／または送信機モジュール９１５を含み得る。これら構成要素の各々は、相互に通信できる。
【００７２】
デバイス９００のこれら構成要素は、個々にまたは包括的に、ハードウェア内に適用可能な機能のうちの一部またはすべてを行うように適合した１つまたは複数の特定用途向け集積回路（ＡＳＩＣ）を用いて実装され得る。あるいは、機能は、１つまたは複数の集積回路上の、１つまたは複数の他の処理ユニット（またはコア）によって行われ得る。他の実施形態では、他のタイプの集積回路（例えば、ストラクチャード／プラットフォームＡＳＩＣ、フィールドプログラマブルゲートアレイ（ＦＰＧＡ）、および他のセミ−カスタムＩＣ）が使用されることがあり、これらは、本技術において知られたいずれかの方法でプログラムされてもよい。各ユニットの機能は、全体としてまたは部分的に、メモリ内に具現され、１つまたは複数の汎用プロセッサまたは特定用途向けプロセッサによって実行されるようにフォーマット化された命令を用いて実装されることもある。
【００７３】
受信機モジュール９０５は、パケット、データ、および／またはデバイス９００が何を受信したかまたは送信したかに関するシグナリング情報などの情報を受信できる。受信した情報は、様々な目的のためにチップレートモジュール９１０によって利用され得る。
【００７４】
デバイス９００およびそのモジュール９０５、９１０、および／または９１５は、いくつかの実施形態では、フレキシブル帯域幅を利用する無線通信用に構成され得る。例えば、いくつかの実施形態では、チップレートモジュール９１０は、移動デバイスのチップレートを特定するように構成され得る。チップレートモジュール９１０は、移動デバイスがフレキシブル帯域幅チャネルを介して通信するように、移動デバイスのチップレートを動的に適合させることができる。受信機モジュール９０５は、フレキシブル帯域幅チャネルを介して１つまたは複数のフレキシブル帯域幅波形を受信するように構成され得る。
【００７５】
チップレートモジュール９１０のいくつかの実施形態は、移動デバイスのチップレートを動的に適合させるために、基地局から適合情報を受信するようにさらに構成され得る。１つまたは複数の中心周波数が、フレキシブル帯域幅チャネルを特定するために受信され得る。いくつかのケースでは、１つまたは複数のスケーリング係数が、適合情報の一部として受信され得る。
【００７６】
いくつかの実施形態では、チップレートモジュールは、オンザフライでチップレートを適合させるようにさらに構成され得る。オンザフライでチップレートを適合させることは、移動デバイスがチップレートを適合させるにつれて、通常帯域幅チャネルからフレキシブル帯域幅チャネルへと移動させることを含み得る。オンザフライでチップレートを適合させることは、移動デバイスがチップレートを適合させるにつれて、第１の中心周波数から第２の中心周波数へ同調させることを含み得る。
【００７７】
チップレートモジュール９１０は、移動デバイスの処理の周波数を適合させることを介してチップレートを適合させるように構成され得る。チップレートモジュール９１０によってチップレートを適合させることは、少なくとも１つのクロックの周波数を適合させることを含み、ここでは、少なくとも１つのクロックが、ＡＤＣクロック、ＤＡＣクロック、処理クロック、またはオフラインクロックのうちの少なくとも１つを含む。チップレートモジュール９１０によってチップレートを適合させることは、少なくとも１つのクロックの周波数を変更するために分周器を使用することを含み得る。いくつかの実施形態では、チップレートモジュール９１０は、処理の周波数を変更するために分周器を使用してチップレートを適合させることができる。
【００７８】
いくつかの実施形態では、デバイス９００は、いくつかのケースでは通常帯域幅チャネルよりも小さいことがあるフレキシブル帯域幅チャネルを取り扱うように構成され得る。他のケースでは、フレキシブル帯域幅チャネルは、通常帯域幅チャネルよりも大きいことがある。いくつかの実施形態では、デバイス９００は、フレキシブル帯域幅チャネルを介してフレキシブル帯域幅波形を、そして通常帯域幅チャネルを介して通常帯域幅波形を受信することができ、これは、いくつかのケースでは同時に生じることがある。送信機モジュール９１５は、いくつかのケースではフレキシブル帯域幅チャネルを介してフレキシブル帯域幅波形も送信できる。
【００７９】
いくつかの実施形態では、デバイス９００は、移動デバイスの一部である別のデバイス９００と通信するように構成された基地局の一部として構成されることがあり、ここでは、２つのデバイス９００は、フレキシブル帯域幅を介して通信する。
【００８０】
いくつかの実施形態では、デバイス９００は、基地局の一部として構成されることがあり、ここでは、モジュール９０５、９１０、および／または９１５は、基地局においてフレキシブル帯域幅チャネルを決定するように構成され得る。チップレートモジュール９１０および／または送信機モジュール９１５は、基地局から通常帯域幅チャネルとフレキシブル帯域幅チャネルとを同時に送信するように構成され得る。いくつかの実施形態では、フレキシブル帯域幅チャネルを決定することは、基地局におけるチップレートを適合させることを含む。
【００８１】
デバイス９００のいくつかの実施形態は、適合させたチップレートを移動デバイスに通知するために、基地局から移動デバイスへの適合情報を、チップレートモジュール９１０から送信機モジュール９１５を介して送信することをさらに含み得る。１つまたは複数の中心周波数は、フレキシブル帯域幅チャネルを特定するために、基地局から移動デバイスへ送信され得る。
【００８２】
チップレートモジュール９１０は、基地局における処理の周波数を適合させることを介してチップレートを適合させるように構成され得る。チップレートモジュール９１０によってチップレートを適合させることは、少なくとも１つのクロックの周波数を適合させることを含むことができ、ここでは、少なくとも１つのクロックが、ＡＤＣクロック、ＤＡＣクロック、処理クロック、またはオフラインクロックのうちの少なくとも１つを含む。いくつかの実施形態では、デバイス９００は、通常帯域幅チャネルおよびフレキシブル帯域幅チャネルが同じ無線接続技術を利用するように構成され得る。いくつかの実施形態では、これらは、異なる無線接続技術を利用することがある。
【００８３】
いくつかの実施形態では、チップレートモジュール９１０は、要求されたサービス品質、負荷および／または隣接するセルのカバレッジに基づいてチップレートを変更できる。デバイス９００は、移動デバイスに変更を通知するために、送信機モジュール９１５を介して構成メッセージを送ることができる。いくつかの実施形態では、デバイス９００は、チップレートモジュール９１０、受信機９０５、および／または送信機９１５を介して、周波数チャネルを複数のより狭い周波数チャネルへと分割するように構成され得る。いくつかの実施形態では、デバイス９００は、チップレートモジュール９１０、受信機９０５、および／または送信機９１５を介して、複数の周波数チャネルをより広い周波数チャネルへと結合するように構成され得る。いくつかのケースでは、この周波数チャネルを分割することおよび／または結合することは、適合されたチップレートを利用できる。
【００８４】
図１０は、様々な実施形態に従ってフレキシブル帯域幅を利用するように構成された移動デバイス１１５−ｃのブロック図１０００である。移動デバイス１１５−ｃは、パーソナルコンピュータ（例えば、ラップトップコンピュータ、ネットブックコンピュータ、タブレットコンピュータ、等）、セルラー電話機、ＰＤＡ、ディジタルビデオレコーダ（ＤＶＲ）、インターネット機器、ゲームコンソール、電子書籍リーダ、等などの様々な構成のうちのいずれかを有することができる。移動デバイス１１５−ｃは、モバイル動作を容易にするために、小さい電池などの内部電源（図示せず）を有することができる。いくつかの実施形態では、移動デバイス１１５−ｃは、図１、図２Ａ、図２Ｂ、図２Ｃ、図２Ｄ、図１１および／もしくは図１２の移動デバイス１１５ならびに／または図９のデバイス９００であってよい。移動デバイス１１５−ｃは、図７のシステムクロックレジーム７００の態様を含み得る。移動デバイス１１５−ｃは、マルチモード移動デバイスであってよい。移動デバイス１１５−ｃは、いくつかのケースでは無線通信デバイスと呼ばれることがある。
【００８５】
移動デバイス１１５−ｃは、アンテナ１０４０、トランシーバモジュール１０５０、メモリ１０８０、およびプロセッサモジュール１０７０を含むことができ、その各々が（例えば、１つまたは複数のバスを介して）相互に、直接または間接的に通信できる。トランシーバモジュール１０５０は、上記のように、１つまたは複数のネットワークを用いて、アンテナ１０４０および／または１つもしくは複数の有線リンクもしくは無線リンクを介して、双方向に通信するように構成される。例えば、トランシーバモジュール１０５０は、図１、図２Ａ、図２Ｂ、図２Ｃ、図２Ｄ、図１１、および／または図１２の基地局１０５と双方向に通信するように構成され得る。トランシーバモジュール１０５０は、パケットを変調し、送信のためにアンテナ１０４０に変調したパケットを提供するように構成され、そしてアンテナ１０４０から受信したパケットを復調するように構成されたモデムを含み得る。移動デバイス１１５−ｃが１つのアンテナを含み得るとは言え、移動デバイス１１５−ｃは、複数のリンク用に複数のアンテナ１０４０を典型的に含むであろう。
【００８６】
メモリ１０８０は、ランダムアクセスメモリ（ＲＡＭ）と、読出し専用メモリ（ＲＯＭ）とを含み得る。メモリ１０８０は、実行されたときに、本明細書において説明した様々な機能（例えば、コール処理、データベース管理、メッセージルーティング、等）をプロセッサモジュール１０７０に行わせるように構成された命令を含むコンピュータ可読な、コンピュータ実行可能なソフトウェアコード１０８５を記憶できる。あるいは、ソフトウェアコード１０８５は、プロセッサモジュール１０７０によって直接実行可能でないことがあるが、（例えば、コンパイルされ、実行されたときに）本明細書において説明した機能をコンピュータに行わせるように構成され得る。
【００８７】
プロセッサモジュール１０７０は、インテリジェントハードウェアデバイス、例えば、Ｉｎｔｅｌ（登録商標）ＣｏｒｐｏｒａｔｉｏｎまたはＡＭＤ（登録商標）によって作られたものなどの中央処理ユニット（ＣＰＵ）、マイクロコントローラ、特定用途向け集積回路（ＡＳＩＣ）、等を含み得る。プロセッサモジュール１０７０は、マイクフォンを介してオーディオを受信し、受信したオーディオを表すパケット（例えば、長さで３０ｍｓ）へとオーディオを変換し、トランシーバモジュール１０５０にオーディオパケットを提供し、ユーザが話しているかどうかの指示を提供するように構成されたスピーチ復号器（図示せず）を含み得る。あるいは、復号器は、ユーザが話しているかどうかの指示をそれ自体が与えるパケットの提供または保留／抑止の状態で、トランシーバモジュール１０５０にパケットを提供するにすぎないことがある。
【００８８】
図１０の構成によれば、移動デバイス１１５−ｃは、通信管理モジュール１０６０をさらに含み得る。通信管理モジュール１０６０は、他の移動デバイス１１５との通信を管理できる。例として、通信管理モジュール１０６０は、バスを介して移動デバイス１１５−ｃの他の構成要素のうちの一部またはすべてと通信する移動デバイス１１５−ｃの構成要素であってよい。あるいは、通信管理モジュール１０６０の機能は、トランシーバモジュール１０５０の構成要素として、コンピュータプログラム製品として、および／またはプロセッサモジュール１０７０の１つまたは複数のコントローラ素子として実装され得る。
【００８９】
移動デバイス１１５−ｃ用の構成要素は、図９においてデバイス９００に関して上に論じた態様を実装するように構成されることがあり、簡潔さのためにここでは繰り返されるとは限らない。例えば、チップレートモジュール９１０−ａは、図９のチップレートモジュール９１０であってよい。
【００９０】
移動デバイス１１５−ｃは、スペクトル特定モジュール１０１５を含むこともできる。スペクトル特定モジュール１０１５は、フレキシブル波形用に利用可能なスペクトルを特定するために利用され得る。いくつかの実施形態では、ハンドオーバモジュール１０２５は、１つの基地局から別のものへの移動デバイス１１５−ｃのハンドオーバ手順を行うために利用され得る。例えば、ハンドオーバモジュール１０２５は、通常波形が移動デバイス１１５−ｃと基地局のうちの１つとの間で利用されており、かつフレキシブル波形が移動デバイスと別の基地局との間で利用される場合には、１つの基地局から別のものへの移動デバイス１１５−ｃのハンドオーバ手順を行ない得る。移動デバイス１１５−ｃは、フレキシブル波形を生成するために利用され得るスケーリング係数を決定するため、生成するため、またはそれ以外には作り出すために利用され得るスケーリングモジュール１０１０を含むこともできる。スケーリングモジュール１０１０は、チップレートモジュール９１０−ａと連携して働くことができる。フレキシブルサブシステムモジュール１０２０は、フレキシブル波形の様々な態様を管理するために利用され得る。
【００９１】
いくつかの実施形態では、トランシーバモジュール１０５０は、移動デバイス１１５−ｃの他の可能性のある構成要素とともにアンテナ１０４０と連携して、移動デバイス１１５−ｃから基地局またはコアネットワークへフレキシブル波形および／またはスケーリング係数に関する情報を送信できる。いくつかの実施形態では、アンテナ１０４０と連携してトランシーバモジュール１０５０は、移動デバイス１１５−ｃの他の可能性のある構成要素とともに、基地局またはコアネットワークへ、フレキシブル波形および／またはスケーリング係数などの情報を送信することができ、その結果、これらデバイスまたはシステムは、フレキシブル波形を利用できる。
【００９２】
図１１は、様々な実施形態に従ってフレキシブル波形を利用するために構成され得る通信システム１１００のブロック図を示す。このシステム１１００は、図１に描かれたシステム１００、図２Ａのシステム２００−ａ、図２Ｂのシステム２００−ｂ、図２Ｃのシステム２００−ｃ、図２Ｄのシステム２００−ｄ、および／または図１２のシステム１２００の態様の一例であってよい。基地局１０５−ｃは、アンテナ１１４５と、トランシーバモジュール１１５０と、メモリ１１７０と、プロセッサモジュール１１６５とを含み、これらの各々は、（例えば、１つまたは複数のバスを介して）相互に、直接または間接的に通信できる。トランシーバモジュール１１５０は、マルチモード移動デバイスであることができる移動デバイス１１５−ｄとアンテナ１１４５を介して双方向に通信するように構成され得る。トランシーバモジュール１０５０（および／または基地局１０５−ｃの他の構成要素）は、１つまたは複数のネットワークと双方向に通信するようにも構成され得る。いくつかのケースでは、基地局１０５−ｃは、ネットワーク通信モジュール１１７５を介してネットワーク１３０−ａおよび／またはコントローラ１２０−ａと通信できる。基地局１０５−ｃは、ｅノードＢ基地局、ホームｅノードＢ基地局、ノードＢ基地局、および／またはホームノードＢ基地局の一例であってよい。コントローラ１２０−ａは、いくつかのケースでは、ｅノードＢ基地局などの基地局１０５−ｃへと統合されてもよい。
【００９３】
基地局１０５−ｃは、基地局１０５−ｍおよび基地局１０５−ｎなどの他の基地局１０５とも通信できる。基地局１０５の各々は、異なる無線接続技術などの異なる無線通信技術を使用して移動デバイス１１５−ｄと通信できる。いくつかのケースでは、基地局１０５−ｃは、基地局通信モジュール１１０５を利用して、１０５−ｍおよび／または１０５−ｎなどの他の基地局と通信できる。いくつかの実施形態では、基地局通信モジュール１１０５は、ＬＴＥ無線通信技術内のＸ２インターフェースを提供することができ、基地局１０５のいくつかの間の通信を行うことができる。いくつかの実施形態では、基地局１０５−ｃは、コントローラ１２０−ａおよび／またはネットワーク１３０−ａを介して他の基地局と通信できる。
【００９４】
メモリ１１７０は、ランダムアクセスメモリ（ＲＡＭ）と読出し専用メモリ（ＲＯＭ）とを含み得る。メモリ１１７０は、実行されたときに、本明細書において説明した様々な機能（例えば、コール処理、データベース管理、メッセージルーティング、等）をプロセッサモジュール１１６５に行わせるように構成された命令を含むコンピュータ可読な、コンピュータ実行可能なソフトウェアコード１１７１も記憶できる。あるいは、ソフトウェアコード１１７１は、プロセッサモジュール１１６５によって直接実行可能でなくてもよいが、例えば、コンパイルされ、実行されたときに、本明細書において説明した機能をコンピュータに行わせるように構成され得る。
【００９５】
プロセッサモジュール１１６５は、インテリジェントハードウェアデバイス、例えば、Ｉｎｔｅｌ（登録商標）ＣｏｒｐｏｒａｔｉｏｎまたはＡＭＤ（登録商標）によって製造されたものなどの中央処理ユニット（ＣＰＵ）、マイクロコントローラ、特定用途向け集積回路（ＡＳＩＣ）、等を含み得る。プロセッサモジュール１１６５は、マイクフォンを介してオーディオを受信し、受信したオーディオを表すパケット（例えば、長さで３０ｍｓ）へとオーディオを変換し、トランシーバモジュール１１５０にオーディオパケットを提供し、ユーザが話しているかどうかの指示を提供するように構成されたスピーチ復号器（図示せず）を含み得る。あるいは、復号器は、ユーザが話しているかどうかの指示をそれ自体が与えるパケットの提供または保留／抑止の状態で、トランシーバモジュール１１５０にパケットを提供するにすぎないことがある。
【００９６】
トランシーバモジュール１１５０は、パケットを変調し、送信のためにアンテナ１１４５に変調したパケットを提供するように構成され、かつアンテナ１１４５から受信したパケットを復調するように構成されたモデムを含み得る。基地局１０５−ｂのいくつかの例は１つのアンテナ１１４５を含み得るとは言え、基地局１０５−ｃは、搬送波集合体をサポートできる複数のリンク用に複数のアンテナ１１４５を好ましくは含む。例えば、１つまたは複数のリンクは、移動デバイス１１５−ｄとのマクロ通信をサポートするために使用され得る。
【００９７】
図１１の構成によれば、基地局１０５−ｃは、通信管理モジュール１１３０をさらに含み得る。通信管理モジュール１１３０は、他の基地局１０５との通信を管理できる。例として、通信管理モジュール１１３０は、バスを介して基地局１０５−ｃの他の構成要素のうちの一部またはすべてと通信する基地局１０５−ｃの構成要素であってよい。あるいは、通信管理モジュール１１３０の機能は、トランシーバモジュール１１５０の構成要素として、コンピュータプログラム製品として、および／またはプロセッサモジュール１１６５の１つまたは複数のコントローラ素子として実装され得る。
【００９８】
基地局１０５−ｃに関する構成要素は、図９においてデバイス９００に関して上に論じた態様を実装するように構成されることでき、簡潔さのためにここでは繰り返されるとは限らない。例えば、チップレートモジュール９１０−ｂは、図９のチップレートモジュール９１０であってよい。
【００９９】
基地局１０５−ｃは、スペクトル特定モジュール１１１５を含むこともできる。スペクトル特定モジュール１１１５は、フレキシブル波形用に利用可能なスペクトルを特定するために利用され得る。いくつかの実施形態では、ハンドオーバモジュール１１２５は、１つの基地局１０５から別のものへの移動デバイス１１５−ｄのハンドオーバ手順を行うために利用され得る。例えば、ハンドオーバモジュール１１２５は、通常波形が移動デバイス１１５−ｄと基地局のうちの１つとの間で利用されており、かつフレキシブル波形が移動デバイスと別の基地局との間で利用される場合には、基地局１０５−ｃから別のものへの移動デバイス１１５−ｄのハンドオーバ手順を行い得る。基地局１０５−ｃは、フレキシブル波形を生成するために利用され得るスケーリング係数を決定するため、生成するため、またはそれ以外には作り出すために利用され得るスケーリングモジュール１１１０を含むこともできる。スケーリングモジュール１１１０は、チップレートモジュール９１０−ｂと連携して働くことができる。フレキシブルサブシステムモジュール１１２０は、フレキシブル波形の様々な態様を管理するために利用され得る。
【０１００】
いくつかの実施形態では、基地局１０５−ｃの他の可能性のある構成要素とともにアンテナ１１４５と連携してトランシーバモジュール１１５０は、基地局１０５−ｃから移動デバイス１１５−ｄへ、他の基地局１０５−ｍ／１０５−ｎへ、またはコアネットワーク１３０−ａへフレキシブル波形および／またはスケーリング係数に関する情報を送信できる。いくつかの実施形態では、アンテナ１１４５と連携してトランシーバモジュール１１５０は、基地局１０５−ｃの他の可能性のある構成要素とともに、移動デバイス１１５−ｄへ、他の基地局１０５−ｍ／１０５−ｎへ、またはコアネットワーク１３０−ａへ、フレキシブル波形および／またはスケーリング係数などの情報を送信することができ、その結果、これらデバイスまたはシステムは、フレキシブル波形を利用できる。
【０１０１】
図１２は、様々な実施形態に従った基地局１０５−ｄと移動デバイス１１５−ｅとを含むシステム１２００のブロック図である。このシステム１２００は、図１のシステム１００、図２Ａのシステム２００−ａ、図２Ｂのシステム２００−ｂ、図２Ｃのシステム２００−ｃ、図２Ｄのシステム２００−ｄ、および／または図１１のシステム１１００の一例であってよい。基地局１０５−ｄは、アンテナ１２３４−ａ〜１２３４−ｘを装備することができ、移動デバイス１１５−ｅは、アンテナ１２５２−ａ〜１２５２−ｎを装備できる。基地局１０５−ｄにおいて、送信プロセッサ１２２０は、データソースからデータを受信できる。
【０１０２】
送信プロセッサ１２２０は、データを処理できる。送信プロセッサ１２２０は、基準シンボル、およびセル固有の基準信号をも生成できる。送信（ＴＸ）ＭＩＭＯプロセッサ１２３０は、データシンボル、制御シンボル、および／または基準シンボル上に空間処理（例えば、プリコーディング）を行うことができ、適用可能な場合には、送信変調器１２３２−ａ〜１２３２−ｘへ出力シンボルストリームを提供できる。各変調器１２３２は、出力サンプルストリームを得るために、該当の出力シンボルストリーム（例えば、ＯＦＤＭ用、等）を処理できる。各変調器１２３２は、ダウンリンク（ＤＬ）信号を得るために、出力サンプルストリームをさらに処理する（例えば、アナログに変換する、増幅する、フィルタ処理する、およびアップコンバートする）ことができる。一例では、変調器１２３２−ａ〜１２３２−ｘからのＤＬ信号は、それぞれ、アンテナ１２３４−ａ〜１２３４−ｘを介して送信され得る。送信機プロセッサ１２２０は、フレキシブル帯域幅モジュール１２４０から情報を受信できる。フレキシブル帯域幅モジュール１２４０は、チップレートを変えることおよび／またはスケーリング係数を利用することを介してフレキシブル波形を生成するように構成されることがあり、これは、いくつかのケースでは動的に行われることがある。いくつかの実施形態では、フレキシブル帯域幅モジュール１２４０は、汎用プロセッサ、送信機プロセッサ１２２０、および／または受信機プロセッサ１２３８の一部として実装され得る。フレキシブル帯域幅モジュール１２４０は、メモリ１２４２と通信できる。
【０１０３】
フレキシブル帯域幅モジュール１２４０は、基地局１０５−ｄにおける１つまたは複数のフレキシブル帯域幅チャネルを決定するように構成され得る。フレキシブル帯域幅モジュール１２４０は、通常帯域幅チャネルおよびフレキシブル帯域幅チャネル上に同時に送信するように、送信機プロセッサ１２２０と連携して働くことができる。いくつかの実施形態では、フレキシブル帯域幅モジュール１２４０と連携して送信機プロセッサ１２２０は、適合させたチップレートを移動デバイス１１５−ｅに通知するために、基地局１０５−ｄから移動デバイス１１５−ｅへ適合情報を送信できる。適合情報は、チップレートを適合させるために利用されことがあるスケーリング係数を含み得る。１つまたは複数の中心周波数は、フレキシブル帯域幅チャネルを特定するために、基地局から移動デバイス１１５−ｅへ送信され得る。
【０１０４】
移動デバイス１１５−ｅにおいては、移動デバイスアンテナ１２５２−ａ〜１２５２−ｎは、基地局１０５−ｄからのＤＬ信号を受信することができ、そして受信した信号を、それぞれ、復調器１２５４−ａ〜１２５４−ｎに提供できる。各復調器１２５４は、入力サンプルを得るために、該当の受信した信号を調整する（例えば、フィルタ処理する、増幅する、ダウンコンバートする、およびディジタル化する）ことができる。各復調器１２５４は、受信したシンボルを得るために、入力サンプル（例えば、ＯＦＤＭ用、等）をさらに処理できる。ＭＩＭＯ検出器１２５６は、すべての復調器１２５４−ａ〜１２５４−ｎから受信シンボルを得ることができ、適用可能である場合には受信シンボル上にＭＩＭＯ検出を行い、そして検出したシンボルを提供する。受信機プロセッサ１２５８は、検出したシンボルを処理する（例えば、復調する、デインターリーブする、および復号する）ことができ、データ出力に移動デバイス１１５−ｅ用の復号したデータを提供し、そしてフレキシブル帯域幅モジュール１２８０またはメモリ１２８２に復号した制御情報を提供する。
【０１０５】
アップリンク（ＵＬ）上では、移動デバイス１１５−ｅにおいて、送信プロセッサ１２６４は、データソースからデータを受信し、そして処理できる。送信プロセッサ１２６４は、基準信号用の基準シンボルも生成できる。送信プロセッサ１２６４からのシンボルは、適用可能である場合には送信ＭＩＭＯプロセッサ１２６６によってプリコーディングされることがあり、復調器１２５４−ａ〜１２５４−ｎ（例えば、ＳＣ−ＦＤＭＡ用、等）によってさらに処理されることがあり、そして基地局１０５−ｄから受信した送信パラメータに従って基地局１０５−ｄへ送信され得る。送信機プロセッサ１２６４は、スケーリング係数を利用することおよび／またはチップレートを調節することを介してフレキシブル波形を生成するようにも構成され得る。フレキシブル帯域幅モジュール１２８０は、チップレートを変えることおよび／またはスケーリング係数を利用することを介してフレキシブル波形を生成するようにおよび／または受信するようにも構成されることがあり、これは、いくつかのケースでは動的に行われることがある。送信プロセッサ１２６４は、フレキシブル帯域幅モジュール１２８０から情報を受信できる。フレキシブル帯域幅モジュール１２８０は、移動デバイス１１５−ｅのチップレートを特定できる。フレキシブル帯域幅モジュール１２８０は、移動デバイスがフレキシブル帯域幅チャネルを介して通信するように、移動デバイスのチップレートを動的に適合させることができる。受信機プロセッサ１２５８は、フレキシブル帯域幅チャネルを介して１つまたは複数のフレキシブル帯域幅波形を受信するように構成され得る。
【０１０６】
受信機プロセッサ１２５８および／またはフレキシブル帯域幅モジュール１２８０は、いくつかの実施形態では、動的に移動デバイス１１５−ｅのチップレートを適合させるために、基地局１０５−ｄから適合情報を受信するように構成され得る。１つまたは複数の中心周波数は、フレキシブル帯域幅チャネルを特定するために受信され得る。いくつかのケースでは、１つまたは複数のスケーリング係数は、適合情報の一部として受信され得る。
【０１０７】
基地局１０５−ｄにおいて、移動デバイス１１５−ｅからのＵＬ信号は、アンテナ１２３４によって受信されることがあり、変調器１２３２によって処理されることがあり、適用可能である場合にはＭＩＭＯ検出器１２３６によって検出されることがあり、そして受信プロセッサによってさらに処理され得る。受信プロセッサ１２３８は、データ出力におよびフレキシブル帯域幅モジュール１２８０に復号したデータを提供できる。いくつかの実施形態では、フレキシブル帯域幅モジュール１２８０は、汎用プロセッサ、送信機プロセッサ１２６４、および／または受信機プロセッサ１２５８の一部として実装され得る。
【０１０８】
図１３Ａに転じて、無線通信のための方法１３００−ａの流れ図が提供される。方法１３００−ａは、図１、図２Ａ、図２Ｂ、図２Ｃ、図２Ｄ、図１０、図１１および／もしくは図１２に見られるような移動デバイス１１５、図１、図２Ａ、図２Ｂ、図２Ｃ、図２Ｄ、図１１および／もしくは図１２に見られるような基地局１０５、図１および／もしくは図１１に見られるようなコアネットワーク１３０もしくはコントローラ１２０、図７のシステムクロックレジーム７００、ならびに／または図９のデバイス９００を含むが、これらに限定されない様々な無線通信デバイスを利用して実装され得る。
【０１０９】
ブロック１３０５において、移動デバイスのチップレートが特定され得る。ブロック１３１０において、移動デバイスがフレキシブル帯域幅チャネルを介して通信するように、移動デバイスのチップレートが動的に適合され得る。１つまたは複数のフレキシブル帯域幅波形は、フレキシブル帯域幅チャネルを介して受信され得る。
【０１１０】
方法１３００のいくつかの実施形態は、移動デバイスのチップレートを動的に適合させるために、基地局から適合情報を受信することをさらに含み得る。１つまたは複数の中心周波数は、フレキシブル帯域幅チャネルを特定するために受信され得る。いくつかのケースでは、１つまたは複数のスケーリング係数は、適合情報の一部として受信され得る。
【０１１１】
方法１３００のいくつかの実施形態は、オンザフライでチップレートを適合させることを含み得る。オンザフライでチップレートを適合させることは、移動デバイスがチップレートを適合させるにつれて、通常帯域幅チャネルからフレキシブル帯域幅チャネルへと移動させることを含み得る。オンザフライでチップレートを適合させることは、移動デバイスがチップレートを適合させるにつれて、第１の中心周波数から第２の中心周波数へ同調させることを含み得る。
【０１１２】
チップレートを適合させることは、移動デバイスの処理の周波数を適合させることを含み得る。処理の周波数を適合させることは、少なくとも割込みレート、間引きレート、または補間レートを適合させることを含み得る。
【０１１３】
チップレートを適合させることは、少なくとも１つのクロックの周波数を適合させることを含むことができ、ここでは、少なくとも１つのクロックが、ＡＤＣクロック、ＤＡＣクロック、処理クロック、またはオフラインクロックのうちの少なくとも１つを含む。チップレートを適合させることは、少なくとも１つのクロックの周波数を変更するために分周器を使用することを含み得る。いくつかの実施形態では、チップレートを適合させることは、処理の周波数を変更するために分周器を使用することを含み得る。
【０１１４】
フレキシブル帯域幅チャネルは、いくつかのケースでは、通常帯域幅チャネルよりも小さいことがある。他のケースでは、フレキシブル帯域幅チャネルは、通常帯域幅チャネルよりも大きいことがある。いくつかの実施形態では、移動デバイスは、フレキシブル帯域幅チャネルを介してフレキシブル帯域幅波形を、そして通常帯域幅チャネルを介して通常帯域幅波形を受信することができ、これはいくつかのケースでは同時に生じることがある。移動デバイスは、いくつかのケースでは、１つまたは複数のフレキシブル帯域幅チャネルを介してフレキシブル帯域幅波形も送信できる。いくつかの実施形態は、適合させたチップレートを利用して周波数チャネルを複数のより狭い周波数チャネルへと分割することを含み得る。いくつかの実施形態は、適合させたチップレートを利用して複数の周波数チャネルをより広い周波数チャネルへと結合することを含み得る。
【０１１５】
図１３Ｂに転じて、無線通信のための方法１３００−ｂの流れ図が提供される。方法１３００−ｂは、図１、図２Ａ、図２Ｂ、図２Ｃ、図２Ｄ、図１０、図１１および／もしくは図１２に見られるような移動デバイス１１５、図１、図２Ａ、図２Ｂ、図２Ｃ、図２Ｄ、図１１および／もしくは図１２に見られるような基地局１０５、図１および／もしくは図１１に見られるようなコアネットワーク１３０もしくはコントローラ１２０、図７のシステムクロックレジーム７００、ならびに／または図９のデバイス９００を含むが、これらに限定されない様々な無線通信デバイスを利用して実装され得る。方法１３００−ｂは、方法１３００−ａの一例であってよい。
【０１１６】
ブロック１３０５−ａにおいて、移動デバイスのチップレートが特定され得る。ブロック１３１５において、適合情報は、移動デバイスのチップレートを動的に適合させるために、基地局から受信され得る。ブロック１３１０−ａにおいて、移動デバイスがフレキシブル帯域幅チャネルを介して通信するように、移動デバイスのチップレートは、動的に適合され得る。ブロック１３２０において、１つまたは複数のフレキシブル帯域幅波形は、フレキシブル帯域幅チャネルを介して受信され得る。
【０１１７】
図１４Ａに転じて、無線通信のための方法１４００−ａの流れ図が提供される。方法１４００−ａは、図１、図２Ａ、図２Ｂ、図２Ｃ、図２Ｄ、図１０、図１１および／もしくは図１２に見られるような移動デバイス１１５、図１、図２Ａ、図２Ｂ、図２Ｃ、図２Ｄ、図１１および／もしくは図１２に見られるような基地局１０５、図１および／もしくは図１１に見られるようなコアネットワーク１３０もしくはコントローラ１２０、図７のシステムクロックレジーム７００、ならびに／または図９のデバイス９００を含むが、これらに限定されない様々な無線通信デバイスを利用して実装され得る。
【０１１８】
ブロック１４０５において、フレキシブル帯域幅チャネルは、基地局において決定され得る。ブロック１４１０において、通常帯域幅チャネルおよびフレキシブル帯域幅チャネルは、基地局から同時に送信され得る。いくつかの実施形態では、フレキシブル帯域幅チャネルを決定することは、基地局におけるチップレートを適合させることを含む。
【０１１９】
方法１４００のいくつかの実施形態は、適合させたチップレートを移動デバイスに通知するために、基地局から移動デバイスへ適合情報を送信することをさらに含み得る。適合情報は、チップレートを適合させるために利用され得るスケーリング係数を含み得る。１つまたは複数の中心周波数は、フレキシブル帯域幅チャネルを特定するために、基地局から移動デバイスへ送信され得る。
【０１２０】
チップレートを適合させることは、基地局における処理の周波数を適合させることを含み得る。チップレートを適合させることは、少なくとも１つのクロックの周波数を適合させることを含み、ここでは、少なくとも１つのクロックが、ＡＤＣクロック、ＤＡＣクロック、処理クロック、またはオフラインクロックのうちの少なくとも１つを含む。
【０１２１】
いくつかの実施形態では、通常帯域幅チャネルおよびフレキシブル帯域幅チャネルは、同じ無線接続技術を利用する。いくつかの実施形態では、これらは、異なる無線接続技術を利用できる。いくつかの実施形態では、基地局は、要求されたサービス品質、負荷および／または隣接するセルのカバレッジに基づいてチップレートを適合させ、基地局は、チップレートにそのような適合を行わせるために、要求されたサービス品質、負荷および／またはカバレッジ情報を決定できる。いくつかの実施形態では、基地局は、変更を移動デバイスに通知するために構成メッセージを送る。いくつかの実施形態は、周波数チャネルを複数のより狭い周波数チャネルへと分割することを含み得る。いくつかの実施形態は、複数の周波数チャネルをより広い周波数チャネルへと結合することを含み得る。
【０１２２】
図１４Ｂに転じて、無線通信のための方法１４００−ｂの流れ図が提供される。方法１４００−ｂは、図１、図２Ａ、図２Ｂ、図２Ｃ、図２Ｄ、図１０、図１１および／もしくは図１２に見られるような移動デバイス１１５、図１、図２Ａ、図２Ｂ、図２Ｃ、図２Ｄ、図１１および／もしくは図１２に見られるような基地局１０５、図１および／もしくは図１１に見られるようなコアネットワーク１３０もしくはコントローラ１２０、図７のシステムクロックレジーム７００、ならびに／または図９のデバイス９００を含むが、これらに限定されない様々な無線通信デバイスを利用して実装され得る。方法１４００−ｂは、図１４Ａの方法１４００−ａの態様の一例であってもよく、および／または利用できる。
【０１２３】
ブロック１４０５−ａにおいて、フレキシブル帯域幅チャネルが、基地局において決定され得る。ブロック１４１５において、基地局におけるチップレートは、フレキシブル帯域幅チャネルを利用するために適合され得る。ブロック１４２０において、適合情報は、適合させたチップレートを移動デバイスに通知するために、基地局から移動デバイスへ送信され得る。ブロック１４１０−ａにおいて、通常帯域幅チャネルおよびフレキシブル帯域幅チャネルは、基地局から同時に送信され得る。いくつかの実施形態では、フレキシブル帯域幅チャネルを決定することは、基地局におけるチップレートを適合させることを含む。
【０１２４】
添付した図面に関連して上に記述した詳細な説明は、例示的な実施形態を記載し、実装され得るまたは特許請求の範囲の範囲内である実施形態だけを意味しない。この説明の全体を通して使用される「例示的な」という用語は、「例、事例、または実例として働くこと」を意味し、「好ましい」または「他の実施形態よりも有利である」ことを意味しない。詳細な説明は、説明した技術の理解を与える目的で具体的な詳細を含む。これら技術は、しかしながら、これらの具体的な詳細を用いずに実行され得る。いくつかの事例では、良く知られた構造およびデバイスは、記載した実施形態の概念を曖昧にすることを避けるためにブロック図の形式で示される。
【０１２５】
情報および信号は、様々な技術および技法のいずれかを使用して表され得る。例えば、上の説明全体を通して参照され得るデータ、命令、コマンド、情報、信号、ビット、シンボル、およびチップは、電圧、電流、電磁波、磁場もしくは磁気粒子、光学場もしくは光学粒子、またはこれらのいずれかの組合せによって表され得る。
【０１２６】
本明細書における開示に関連して説明した様々な例示のブロックおよびモジュールは、汎用プロセッサ、ディジタル信号プロセッサ（ＤＳＰ）、特定用途向け集積回路（ＡＳＩＣ）、フィールドプログラマブルゲートアレイ（ＦＰＧＡ）もしくは他のプログラマブルロジックデバイス、ディスクリートゲートもしくはトランジスタロジック、ディスクリートハードウェアコンポーネント、または本明細書において説明した機能を行うように設計されたこれらのいずれかの組合せで実装されるまたは行われ得る。汎用プロセッサは、マイクロプロセッサであってよいが、代替では、プロセッサは、任意の従来型のプロセッサ、コントローラ、マイクロコントローラ、またはステートマシンであってよい。プロセッサは、計算デバイスの組合せ、例えば、ＤＳＰとマイクロプロセッサとの組合せ、複数のマイクロプロセッサ、ＤＳＰコアとともに１つもしくは複数のマイクロプロセッサ、または任意の他のそのような構成、としても実装され得る。
【０１２７】
本明細書において説明した機能は、ハードウェア、プロセッサによって実行されるソフトウェア、ファームウェア、またはこれらのいずれかの組合せで実装され得る。プロセッサによって実行されるソフトウェアで実装される場合には、機能は、コンピュータ可読媒体に記憶される、またはコンピュータ可読媒体上の１つもしくは複数の命令もしくはコードとして送信され得る。他の例および実装形態は、本開示および別記の特許請求の範囲の範囲および精神内である。例えば、ソフトウェアの性質のために、上に説明した機能は、プロセッサによって実行されるソフトウェア、ハードウェア、ファームウェア、ハードワイアリング、またはこれらのいずれかの組合せを使用して実装されることが可能である。機能を実装する特徴は、様々な位置のところにも物理的に設置されることがあり、機能の部分が、異なる物理的な場所のところに実装されるように分散されることを含む。また、特許請求の範囲を含む本明細書において使用されるように、「少なくとも１つ」によって始まる項目の列挙において使用されるように「または」は、離接的な列挙を示し、その結果、例えば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【０１２８】
コンピュータ可読媒体は、コンピュータ記憶媒体と、１つの場所から別の場所へとコンピュータプログラムの転送を容易にする任意の媒体を含む通信媒体との両方を含む。記憶媒体は、汎用コンピュータまたは特定目的コンピュータによってアクセスされることが可能な任意の利用可能な媒体であってよい。例として、限定ではなく、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気記憶デバイス、または命令もしくはデータ構造の形式で所望のプログラムコード手段を搬送するもしくは記憶するために使用することが可能であり、かつ汎用コンピュータもしくは特定目的コンピュータ、または汎用プロセッサもしくは特定目的プロセッサによってアクセスされることが可能な任意の他の媒体を備えることが可能である。また、任意の接続が、コンピュータ可読媒体と適正に呼ばれる。例えば、ソフトウェアが、同軸ケーブル、光ファイバケーブル、より線対、ディジタル加入者回線（ＤＳＬ）、もしくは赤外と、無線と、マイクロ波などの無線技術を使用してウェブサイト、サーバ、または他の遠隔ソースから送信される場合には、同軸ケーブル、光ファイバケーブル、より線対、ＤＳＬ、または赤外と、無線と、マイクロ波などの無線技術は、媒体の定義に含まれる。ディスク（ｄｉｓｋ）およびディスク（ｄｉｓｃ）は、本明細書において使用されるように、コンパクトディスク（ＣＤ）、レーザディスク（登録商標）、光ディスク、ディジタルバーサタイルディスク（ＤＶＤ）、フロッピー（登録商標）ディスクおよびｂｌｕｅ−ｒａｙ（登録商標）ディスクを含み、ただし、ディスク（ｄｉｓｋ）は磁気的にデータを通常再生し、一方で、ディスク（ｄｉｓｃ）はレーザを用いて光学的にデータを再生する。上記の組合せも、コンピュータ可読媒体の範囲内にも含まれる。
【０１２９】
本開示の先の説明は、当業者が本開示を作成するまたは使用することを可能にするために提供される。本開示に対する様々な変更は、当業者には容易に明らかであり、本明細書において定義した一般的な原理は、本開示の精神または範囲から逸脱せずに他の変形形態に適用され得る。この開示の全体を通して、「例」または「例示的な」という用語は、例または事例を示し、そして記した例に関する何らかの優先性を示唆しないし必要としない。従って、本開示は、本明細書において記述した例または設計に限定されることはなく、本明細書において開示した原理および新規な特徴と整合する最も広い範囲に一致すべきである。
以下に本件出願当初の特許請求の範囲に記載された発明を付記する。
[Ｃ１]
無線通信のための方法であって、
移動デバイスのチップレートを特定することと、
前記移動デバイスがフレキシブル帯域幅チャネルを介して通信するように前記移動デバイスの前記チップレートを動的に適合させることとを備える方法。
[Ｃ２]
前記移動デバイスの前記チップレートを動的に適合させるために基地局から適合情報を受信することをさらに備える、Ｃ１に記載の方法。
[Ｃ３]
前記フレキシブル帯域幅チャネルを特定するために１つまたは複数の中心周波数を受信することをさらに備える、Ｃ２に記載の方法。
[Ｃ４]
前記チップレートを適合させることが、オンザフライで前記チップレートを適合させることを含む、Ｃ１に記載の方法。
[Ｃ５]
オンザフライで前記チップレートを適合させることが、
前記移動デバイスが前記チップレートを適合させるにつれて、通常帯域幅チャネルから前記フレキシブル帯域幅チャネルへと移動させることを備える、Ｃ４に記載の方法。
[Ｃ６]
オンザフライで前記チップレートを適合させることが、
前記移動デバイスが前記チップレートを適合させるにつれて、第１の中心周波数から第２の中心周波数へ同調させることを備える、Ｃ４に記載の方法。
[Ｃ７]
前記チップレートを適合させることが、前記移動デバイスの処理の周波数を適合させることを含む、Ｃ１に記載の方法。
[Ｃ８]
前記チップレートを適合させることが、前記処理の周波数を変更するために分周器を使用することを含む、Ｃ７に記載の方法。
[Ｃ９]
前記チップレートを前記適合させることが、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、Ｃ１に記載の方法。
[Ｃ１０]
前記チップレートを適合させることが、前記少なくとも１つのクロックの前記周波数を変更するために分周器を使用することを含む、Ｃ９に記載の方法。
[Ｃ１１]
前記フレキシブル帯域幅チャネルが、通常帯域幅チャネルよりも小さい、Ｃ１に記載の方法。
[Ｃ１２]
前記フレキシブル帯域幅チャネルが、通常帯域幅チャネルよりも大きい、Ｃ１に記載の方法。
[Ｃ１３]
前記適合させたチップレートを利用して周波数チャネルを複数のより狭い周波数チャネルへと分割することをさらに備える、Ｃ１に記載の方法。
[Ｃ１４]
前記適合させたチップレートを利用して複数の周波数チャネルをより広い周波数チャネルへと結合することをさらに備える、Ｃ１に記載の方法。
[Ｃ１５]
無線通信のための方法であって、
基地局においてフレキシブル帯域幅チャネルを決定することと、
前記基地局から通常帯域幅チャネルおよび前記フレキシブル帯域幅チャネル上に同時に送信することとを備える方法。
[Ｃ１６]
前記フレキシブル帯域幅チャネルを利用するために前記基地局におけるチップレートを適合させることをさらに備える、Ｃ１５に記載の方法。
[Ｃ１７]
前記適合させたチップレートを移動デバイスに通知するために前記基地局から前記移動デバイスへ適合情報を送信することをさらに備える、Ｃ１６に記載の方法。
[Ｃ１８]
前記フレキシブル帯域幅チャネルを特定するために前記基地局から前記移動デバイスへ１つまたは複数の中心周波数を送信することをさらに備える、Ｃ１７に記載の方法。
[Ｃ１９]
前記チップレートを適合させることが、前記基地局における処理の周波数を適合させることを含む、Ｃ１６に記載の方法。
[Ｃ２０]
前記チップレートを適合させることが、少なくとも１つのクロックの周波数を適合させることを含み、前記少なくとも１つのクロックが、ＡＤＣ、ＤＡＣ、処理クロック、またはオフラインクロックのうちの少なくとも１つを含む、Ｃ１５に記載の方法。
[Ｃ２１]
前記通常帯域幅チャネルおよび前記フレキシブル帯域幅チャネルが、同じ無線接続技術を利用する、Ｃ１５に記載の方法。
[Ｃ２２]
前記チップレートを適合させることが、要求されたサービス品質に基づく、Ｃ１６に記載の方法。
[Ｃ２３]
前記チップレートを適合させることが、負荷に基づく、Ｃ１６に記載の方法。
[Ｃ２４]
前記チップレートを適合させることが、１つまたは複数の隣接セルのカバレッジに基づく、Ｃ１６に記載の方法。
[Ｃ２５]
周波数チャネルを複数のより狭い周波数チャネルへと分割することをさらに備える、Ｃ１５に記載の方法。
[Ｃ２６]
複数の周波数チャネルをより広い周波数チャネルへと結合することをさらに備える、Ｃ１５に記載の方法。
[Ｃ２７]
フレキシブル帯域幅チャネルを利用するために構成された無線通信システムであって、
移動デバイスのチップレートを特定するための手段と、
前記移動デバイスがフレキシブル帯域幅チャネルを介して通信するように、前記移動デバイスの前記チップレートを動的に適合させるための手段とを備える、無線通信システム。
[Ｃ２８]
前記移動デバイスの前記チップレートを動的に適合させるために基地局から適合情報を受信するための手段をさらに備える、Ｃ２７に記載の無線通信システム。
[Ｃ２９]
オンザフライで前記移動デバイスの前記チップレートを適合させるための手段をさらに備える、Ｃ２７に記載の無線通信システム。
[Ｃ３０]
前記フレキシブル帯域幅チャネルを特定するために１つまたは複数の中心周波数を受信するための手段をさらに備える、Ｃ２８に記載の無線通信システム。
[Ｃ３１]
前記フレキシブル帯域幅チャネルを介して１つまたは複数のフレキシブル帯域幅波形を受信するための手段をさらに備える、Ｃ２７に記載の無線通信システム。
[Ｃ３２]
前記チップレートを前記適合させることが、前記移動デバイスの処理の周波数、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、Ｃ２７に記載の無線通信システム。
[Ｃ３３]
前記適合させたチップレートを利用して周波数チャネルを複数のより狭い周波数チャネルへと分割するための手段をさらに備える、Ｃ２７に記載の無線通信システム。
[Ｃ３４]
前記適合させたチップレートを利用して複数の周波数チャネルをより広い周波数チャネルへと結合するための手段をさらに備える、Ｃ２７に記載の無線通信システム。
[Ｃ３５]
無線通信システム内でフレキシブル帯域幅チャネルを利用するためのコンピュータプログラム製品であって、
移動デバイスのチップレートを特定するためのコードと、
前記移動デバイスがフレキシブル帯域幅チャネルを介して通信するように、前記移動デバイスの前記チップレートを動的に適合させるためのコードとを備える非一時的なコンピュータ可読媒体を備える、コンピュータプログラム製品。
[Ｃ３６]
前記非一時的なコンピュータ可読媒体が、
前記移動デバイスの前記チップレートを動的に適合させるために基地局から適合情報を受信するためのコードをさらに備える、Ｃ３５に記載のコンピュータプログラム製品。
[Ｃ３７]
前記非一時的なコンピュータ可読媒体が、
前記移動デバイスが前記チップレートを適合させるにつれて、第１の中心周波数から第２の中心周波数へ同調させるためのコードをさらに備える、Ｃ３５に記載のコンピュータプログラム製品。
[Ｃ３８]
前記非一時的なコンピュータ可読媒体が、
前記フレキシブル帯域幅チャネルを特定するために１つまたは複数の中心周波数を受信するためのコードをさらに備える、Ｃ３６に記載のコンピュータプログラム製品。
[Ｃ３９]
前記非一時的なコンピュータ可読媒体が、
前記フレキシブル帯域幅チャネルを介して１つまたは複数のフレキシブル帯域幅波形を受信するためのコードをさらに備える、Ｃ３５に記載のコンピュータプログラム製品。
[Ｃ４０]
前記チップレートを前記適合させることが、前記移動デバイスの処理の周波数、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、Ｃ３５に記載のコンピュータプログラム製品。
[Ｃ４１]
フレキシブル帯域幅チャネルを利用するために構成された無線通信デバイスであって、
移動デバイスのチップレートを特定し、
前記移動デバイスがフレキシブル帯域幅チャネルを介して通信するように、前記移動デバイスの前記チップレートを動的に適合させるように構成された少なくとも１つのプロセッサと、
前記少なくとも１つのプロセッサに結合された少なくとも１つのメモリとを備える、無線通信デバイス。
[Ｃ４２]
前記少なくとも１つのプロセッサが、
前記移動デバイスの前記チップレートを動的に適合させるために基地局から適合情報を受信するようにさらに構成される、Ｃ４１に記載の無線通信デバイス。
[Ｃ４３]
前記少なくとも１つのプロセッサが、
前記移動デバイスが前記チップレートを適合させるにつれて、通常帯域幅チャネルから前記フレキシブル帯域幅チャネルへと移動させるようにさらに構成される、Ｃ４１に記載の無線通信デバイス。
[Ｃ４４]
前記少なくとも１つのプロセッサが、
前記フレキシブル帯域幅チャネルを特定するために１つまたは複数の中心周波数を受信するようにさらに構成される、Ｃ４２に記載の無線通信デバイス。
[Ｃ４５]
前記少なくとも１つのプロセッサが、
前記フレキシブル帯域幅チャネルを介して１つまたは複数のフレキシブル帯域幅波形を受信するようにさらに構成される、Ｃ４１に記載の無線通信デバイス。
[Ｃ４６]
前記チップレートを適合させることが、前記移動デバイスの処理の周波数、少なくとも１つのクロックの周波数を適合させることを含み、前記少なくとも１つのクロックが、ＡＤＣクロック、ＤＡＣクロック、処理クロック、またはオフラインクロックのうちの少なくとも１つを含む、Ｃ４１に記載の無線通信デバイス。
[Ｃ４７]
フレキシブル帯域幅を利用するために構成された無線通信システムであって、
基地局においてフレキシブル帯域幅チャネルを決定するための手段と、
前記基地局から通常帯域幅チャネルおよび前記フレキシブル帯域幅チャネル上に同時に送信するための手段とを備える、無線通信システム。
[Ｃ４８]
前記フレキシブル帯域幅チャネルを利用するために前記基地局におけるチップレートを適合させるための手段をさらに備える、Ｃ４７に記載の無線通信システム。
[Ｃ４９]
前記適合させたチップレートを移動デバイスに通知するために前記基地局から前記移動デバイスへ適合情報を送信するための手段をさらに備える、Ｃ４８に記載の無線通信システム。
[Ｃ５０]
前記フレキシブル帯域幅チャネルを特定するために前記基地局から前記移動デバイスへ１つまたは複数の中心周波数を送信するための手段をさらに備える、Ｃ４９に記載の無線通信システム。
[Ｃ５１]
前記チップレートを適合させることが、少なくとも要求されたサービス品質、負荷、または１つもしくは複数の隣接セルのカバレッジに基づく、Ｃ４８に記載の無線通信システム。
[Ｃ５２]
周波数チャネルを複数のより狭い周波数チャネルへと分割するための手段をさらに備える、Ｃ４７に記載の無線通信システム。
[Ｃ５３]
複数の周波数チャネルをより広い周波数チャネルへと結合するための手段をさらに備える、Ｃ４７に記載の無線通信システム。
[Ｃ５４]
無線通信システム内でフレキシブル帯域幅を利用するためのコンピュータプログラム製品であって、
基地局においてフレキシブル帯域幅チャネルを決定するためのコードと、
前記基地局から通常帯域幅チャネルおよび前記フレキシブル帯域幅チャネル上に同時に送信するためのコードとを備える非一時的なコンピュータ可読媒体を備える、コンピュータプログラム製品。
[Ｃ５５]
前記非一時的なコンピュータ可読媒体が、
前記フレキシブル帯域幅チャネルを利用するために前記基地局におけるチップレートを適合させるためのコードをさらに備える、Ｃ５４に記載のコンピュータプログラム製品。
[Ｃ５６]
前記非一時的なコンピュータ可読媒体が、
前記適合させたチップレートを移動デバイスに通知するために前記基地局から前記移動デバイスへ適合情報を送信するためのコードをさらに備える、Ｃ５５に記載のコンピュータプログラム製品。
[Ｃ５７]
前記非一時的なコンピュータ可読媒体が、
前記フレキシブル帯域幅チャネルを特定するために前記基地局から前記移動デバイスへ１つまたは複数の中心周波数を送信するためのコードをさらに備える、Ｃ５６に記載のコンピュータプログラム製品。
[Ｃ５８]
前記チップレートを適合させることが、少なくとも要求されたサービス品質、負荷、または１つもしくは複数の隣接セルのカバレッジに基づく、Ｃ５５に記載のコンピュータプログラム製品。
[Ｃ５９]
フレキシブル帯域幅を利用するために構成された無線通信デバイスであって、
基地局においてフレキシブル帯域幅チャネルを決定し、
前記基地局から通常帯域幅チャネルおよび前記フレキシブル帯域幅チャネル上に同時に送信するように構成された少なくとも１つのプロセッサと、
前記少なくとも１つのプロセッサに結合された少なくとも１つのメモリとを備える、無線通信デバイス。
[Ｃ６０]
前記少なくとも１つのプロセッサが、
前記フレキシブル帯域幅チャネルを利用するために前記基地局におけるチップレートを適合させるようにさらに構成される、Ｃ５９に記載の無線通信デバイス。
[Ｃ６１]
前記少なくとも１つのプロセッサが、
前記適合させたチップレートを移動デバイスに通知するために前記基地局から前記移動デバイスへ適合情報を送信するようにさらに構成される、Ｃ６０に記載の無線通信デバイス。
[Ｃ６２]
前記少なくとも１つのプロセッサが、
前記フレキシブル帯域幅チャネルを特定するために前記基地局から前記移動デバイスへ１つまたは複数の中心周波数を送信するようにさらに構成される、Ｃ６１に記載の無線通信デバイス。
[Ｃ６３]
前記チップレートを適合させることが、少なくとも要求されたサービス品質、負荷、または１つもしくは複数の隣接セルのカバレッジに基づく、Ｃ６０に記載の無線通信デバイス。
【図１】
0005766887.tif 000002
【図２Ａ】
0005766887.tif 000003
【図２Ｂ】
0005766887.tif 000004
【図２Ｃ】
0005766887.tif 000005
【図２Ｄ】
0005766887.tif 000006
【図３】
0005766887.tif 000007
【図４】
0005766887.tif 000008
【図５】
0005766887.tif 000009
【図６】
0005766887.tif 000010
【図７】
0005766887.tif 000011
【図８】
0005766887.tif 000012
【図９】
0005766887.tif 000013
【図１０】
0005766887.tif 000014
【図１１】
0005766887.tif 000015
【図１２】
0005766887.tif 000016
【図１３Ａ】
0005766887.tif 000017
【図１３Ｂ】
0005766887.tif 000018
【図１４Ａ】
0005766887.tif 000019
【図１４Ｂ】
0005766887.tif 000020